(57)【要約】ウェアラブル電子デバイス、たとえばウェアラブルカメラシステム、及びアイウェア又は他のウェアラブル物品にカメラシステムなどの電子デバイスを取り付けるための方法が記載される。システムは、テンプル、テンプルに移動可能に連結された電子デバイス、及びテンプルに電子デバイスを固定するための取り付けシステムを含むアイウェアフレームを備える。
2017524159.tif 000002
【特許請求の範囲】
【請求項１】
テンプル及び前記テンプルと一体の第１のガイドを含むアイウェアフレームであって、前記テンプルが仕上げ済み表面を有し、前記第１のガイドが前記テンプル上の第１の場所と前記テンプル上の第２の場所との間に延在し、前記第１のガイドが前記テンプルの側面上に形成され、前記テンプルの厚さを部分的に通って延在するか又は前記テンプルから突出し、前記第１のガイドが基部及び前記基部に隣接する少なくとも１つの側壁を備え、前記テンプルの前記仕上げ済み表面が前記基部及び前記少なくとも１つの側壁の表面を含む、アイウェアフレームと、
前記テンプルに移動可能に連結された電子デバイスであって、前記第１のガイドに連結された第２のガイドを備える電子デバイスと、
前記電子デバイスを前記テンプルに固定する取り付けシステムであって、前記電子デバイスが前記テンプルに固定されたままで前記ガイドに沿って移動可能である、取り付けシステムと、
を備えることを特徴とする電子デバイスシステム。
【請求項２】
請求項１に記載の電子デバイスシステムであって、前記第１のガイドがレール又は溝を備えることを特徴とする電子デバイスシステム。
【請求項３】
請求項１に記載の電子デバイスシステムであって、前記第１のガイドが前記テンプルの外側面上に形成され、前記第１の場所が前記テンプルの前端部にあり、前記第２の場所が前記テンプルの後端部から前記テンプルの長さの約１／３の距離のところにあることを特徴とする電子デバイスシステム。
【請求項４】
請求項１に記載の電子デバイスシステムであって、前記第１のガイドが溝であり、前記溝の深さが２ｍｍ以下であることを特徴とする電子デバイスシステム。
【請求項５】
請求項１に記載の電子デバイスシステムであって、前記第１のガイドが溝であり、前記溝の幅が４ｍｍ以下であることを特徴とする電子デバイスシステム。
【請求項６】
請求項１に記載の電子デバイスシステムであって、前記第１のガイドが溝であり、前記溝の長さが１０ｍｍから１４５ｍｍの間であることを特徴とする電子デバイスシステム。
【請求項７】
請求項１に記載の電子デバイスシステムであって、前記電子デバイスが前記取り付けシステムと係合するように構成された表面特徴を備え、前記取り付けシステムが丸形の断面を有する弾性バンドを備え、前記断面の直径が２ｍｍ以下であることを特徴とする電子デバイスシステム。
【請求項８】
請求項７に記載の電子デバイスシステムであって、前記テンプルが第１の部分及び前記第１の部分からあるオフセット距離だけオフセットされた第２の部分を備え、前記オフセット距離が前記弾性バンドの厚さ以上であることを特徴とする電子デバイスシステム。
【請求項９】
請求項１に記載の電子デバイスシステムであって、前記テンプルが金属部分を備え、前記第１のガイドが前記金属部分内に配置されることを特徴とする電子デバイスシステム。
【請求項１０】
請求項１に記載の電子デバイスシステムであって、前記アイウェアフレームが、前記電子デバイスに連結された又はこれの中に埋め込まれた磁石と係合するように構成された金属ストリップを前記テンプル内にさらに備えることを特徴とする電子デバイスシステム。
【請求項１１】
請求項１に記載の電子デバイスシステムであって、前記電子デバイスが前記テンプルに取り外し可能に連結されたカメラであることを特徴とする電子デバイスシステム。
【請求項１２】
請求項１に記載の電子デバイスシステムであって、カメラが前記テンプルに枢動可能に連結されることを特徴とする電子デバイスシステム。
【請求項１３】
請求項１に記載の電子デバイスシステムであって、前記電子デバイスは画像取り込みデバイスを備えるカメラであり、
前記カメラは、前記カメラの軸に対して角度を付けられるように構成された、
ことを特徴とする電子デバイスシステム。
【請求項１４】
請求項１に記載の電子デバイスシステムであって、前記電子デバイスがカメラであり、前記カメラが防水性であることを特徴とする電子デバイスシステム。
【請求項１５】
請求項１に記載の電子デバイスシステムであって、前記電子デバイスがカメラであり、前記カメラがハウジングの外部表面上に設けられた伸展性のある材料を備えることを特徴とする電子デバイスシステム。
【請求項１６】
請求項１に記載の電子デバイスシステムであって、前記電子デバイスがカメラであり、前記カメラが、前記テンプルを軽く叩くことに応答して又はボイスコマンドに応答して画像を取り込むように構成されることを特徴とする電子デバイスシステム。
【請求項１７】
請求項１に記載の電子デバイスシステムであって、前記電子デバイスがカメラであり、前記カメラがカメラ前端部を備え、前記カメラが、前記カメラが前記テンプル上の前記第１の場所へと移動されるとき、前記カメラ前端部を前記アイウェアフレームと一致するように又はこれの前に位置付けるように構成されることを特徴とする電子デバイスシステム。
【請求項１８】
請求項１に記載の電子デバイスシステムであって、前記電子デバイスが、各々約８ｍｍの幅及び高さ、並びに約２５ｍｍから約３０ｍｍの長さを有するカメラであることを特徴とする電子デバイスシステム。
【請求項１９】
請求項１に記載の電子デバイスシステムであって、前記電子デバイスが６，０００立方ミリメートル未満の体積を有するカメラであることを特徴とする電子デバイスシステム。
【請求項２０】
請求項１に記載の電子デバイスシステムであって、前記電子デバイスが３，０００立方ミリメートル未満の体積を有するカメラであることを特徴とする電子デバイスシステム。
【請求項２１】
請求項１に記載の電子デバイスシステムであって、前記電子デバイスが２，０００立方ミリメートル未満の体積を有するカメラであることを特徴とする電子デバイスシステム。
【請求項２２】
請求項１に記載の電子デバイスシステムであって、前記電子デバイスが６ｍｍから１２ｍｍの間の高さを有するカメラであることを特徴とする電子デバイスシステム。
【請求項２３】
請求項１に記載の電子デバイスシステムであって、前記電子デバイスが６ｍｍから１２ｍｍの間の幅を有するカメラであることを特徴とする電子デバイスシステム。
【請求項２４】
請求項１に記載の電子デバイスシステムであって、前記電子デバイスが１２ｍｍから４５ｍｍの間の長さを有するカメラであることを特徴とする電子デバイスシステム。
【請求項２５】
請求項１２から２４のいずれか１項に記載の電子デバイスシステムであって、前記カメラが、プロセッサ、及び前記カメラによって取り込まれた画像を中央に配置するためのプロセッサ実行可能命令を備えるメモリを備え、前記プロセッサ実行可能命令が、画像の中心を検出し前記画像をトリミングすることによって前記画像の前記中心を配置し直すように前記カメラをプログラムするように構成されることを特徴とする電子デバイスシステム。
【請求項２６】
請求項２５に記載の電子デバイスシステムであって、前記プロセッサ実行可能命令が、空に対応する前記取り込まれた画像中の第１の対象物と地面に対応する前記取り込まれた画像中の第２の対象物との間の色の違いを検出することにより水平線の位置を判定することによって、前記画像を鉛直方向において中心に配置するように前記カメラをプログラムするようにさらに構成され、前記画像の水平方向の中心を検出し前記画像を前記水平方向においてトリミングして前記水平方向の中心が前記画像の左側と右側との間で均等に離間されるようにすることによって、前記画像を水平方向において中心に配置するように前記カメラをプログラムするようにさらに構成されることを特徴とする電子デバイスシステム。
【請求項２７】
請求項１から２４のいずれか１項に記載の電子デバイスシステムであって、前記アイウェアフレームに連結された１つ以上のレンズをさらに備え、前記１つ以上のレンズが、処方レンズ、非処方レンズ、着色レンズ、調光レンズ、可変焦点レンズ、焦点切り替え可能レンズ、又はこれらの組み合わせを備えることを特徴とする電子デバイスシステム。
【請求項２８】
テンプル及び前記テンプルと一体の第１の固定ガイドを含むアイウェアフレームであって、前記テンプルが仕上げ済み表面を有し、前記第１の固定ガイドが前記テンプル上の第１の場所と前記テンプル上の第２の場所との間に延在し、前記第１の固定ガイドが前記テンプルの側面上に形成され、前記テンプルの厚さを部分的に通って延在するか又は前記テンプルから突出し、前記第１の固定ガイドが基部及び前記基部に隣接する少なくとも１つの側壁を備え、前記テンプルの前記仕上げ済み表面が前記基部及び前記少なくとも１つの側壁の表面を含む、アイウェアフレームと、
前記テンプルに移動可能に連結された電子デバイスであって、前記第１の固定ガイドに連結された第２の固定ガイドを備える電子デバイスと、を備え、
前記第１及び第２の固定ガイドが、前記電子デバイスが前記第１の固定ガイドに沿って移動されるときに前記電子デバイスを前記テンプル上に維持するように構成されることを特徴とする電子デバイスシステム。
【請求項２９】
請求項２８に記載の電子デバイスシステムであって、前記第１の固定ガイドが溝又はレールを備えることを特徴とする電子デバイスシステム。
【請求項３０】
請求項２８に記載の電子デバイスシステムであって、前記第１及び第２の固定ガイドの少なくとも一方が、前記電子デバイスが前記第１の固定ガイドに沿って移動されるときに前記電子デバイスを前記テンプル上に維持するように構成された断面形状を有することを特徴とする電子デバイスシステム。
【発明の詳細な説明】
【技術分野】
【０００１】
本開示は、ウェアラブル電子デバイス、たとえばウェアラブルカメラシステムに、より具体的には、アイウェア又は他のウェアラブル物品にカメラシステムなどの電子デバイスを取り付けるための装置及び方法に関する。
【背景技術】
【０００２】
関連出願の相互参照
本出願は、２０１４年８月３日に出願された「ＥＹＥＷＥＡＲ  ＷＩＴＨ  ＣＡＭＥＲＡ  ＳＹＳＴＥＭ  ＡＮＤ  ＡＴＴＡＣＨＭＥＮＴ  ＭＥＣＨＡＮＩＳＭ」と題する米国仮特許出願第６２／０３２，５８９号の先の出願日の、米国特許法第１１９条の下での利益を主張する。前述の仮特許出願は、あらゆる目的のためにその全体を本願に引用して援用する。
【０００３】
本出願はまた、２０１４年９月３日に出願された「ＭＵＬＴＩ−ＵＳＥ  ＡＴＴＡＣＨＡＢＬＥ  ＥＹＥＧＬＡＳＳ  ＣＡＭＥＲＡ」と題する米国仮特許出願第６２／０４５，２４６号の先の出願日の、米国特許法第１１９条の下での利益を主張する。前述の仮特許出願は、あらゆる目的のためにその全体を本願に引用して援用する。
【０００４】
本出願はまた、２０１４年１２月３日に出願された「ＣＡＭＥＲＡ  ＳＹＳＴＥＭ  ＦＯＲ  ＥＹＥＷＥＡＲ」と題する米国仮特許出願第６２／０８６，７４７号の先の出願日の、米国特許法第１１９条の下での利益を主張する。前述の仮特許出願は、あらゆる目的のためにその全体を本願に引用して援用する。
【０００５】
本出願はまた、２０１４年１２月１５日に出願された「ＥＹＥＷＥＡＲ  ＳＹＳＴＥＭ  ＦＯＲ  ＣＡＭＥＲＡ」と題する米国仮特許出願第６２／０９１，６９７号の先の出願日の、米国特許法第１１９条の下での利益を主張する。前述の仮特許出願は、あらゆる目的のためにその全体を本願に引用して援用する。
【０００６】
本出願はまた、２０１５年４月２８日に出願された「ＣＡＭＥＲＡ  ＳＹＳＴＥＭ  ＣＡＰＡＢＬＥ  ＯＦ  ＷＩＲＥＬＥＳＳ  ＥＮＥＲＧＹ  ＴＲＡＮＳＦＥＲ」と題する米国仮特許出願第６２／１５３，９９９号の先の出願日の、米国特許法第１１９条の下での利益を主張する。前述の仮特許出願は、あらゆる目的のためにその全体を本願に引用して援用する。
【０００７】
本出願はまた、２０１４年９月１１日に出願された「ＥＹＥＷＥＡＲ  ＷＩＴＨ  ＴＥＭＰＬＥ  ＴＲＡＣＫ」と題する米国仮特許出願第６２／０４８，８２０号の先の出願日の、米国特許法第１１９条の下での利益を主張する。前述の仮特許出願は、あらゆる目的のためにその全体を本願に引用して援用する。
【０００８】
本出願はまた、２０１４年９月１９日に出願された「ＦＡＳＨＩＯＮＡＢＬＥ  ＥＹＥＷＥＡＲ  ＣＯＭＰＲＩＳＩＮＧ  Ａ  ＴＲＡＣＫ」と題する米国仮特許出願第６２／０５２，９１０号の先の出願日の、米国特許法第１１９条の下での利益を主張する。前述の仮特許出願は、あらゆる目的のためにその全体を本願に引用して援用する。
【０００９】
本出願はまた、２０１４年９月２２日に出願された「ＥＹＥＷＥＡＲ  ＣＯＭＰＲＩＳＩＮＧ  Ａ  ＴＲＡＣＫ」と題する米国仮特許出願第６２／０５３，２７５号の先の出願日の、米国特許法第１１９条の下での利益を主張する。前述の仮特許出願は、あらゆる目的のためにその全体を本願に引用して援用する。
【００１０】
本出願はまた、２０１５年３月３０日に出願された「ＯＰＴＩＭＩＺＥＤ  ＥＹＥＷＥＡＲ  ＴＲＡＣＫ  ＡＮＤ  ＡＴＴＡＣＨＭＥＮＴ  ＭＥＡＮＳ  ＦＯＲ  ＥＬＥＣＴＲＯＮＩＣ  ＤＥＶＩＣＥ」と題する米国仮特許出願第６２／１４０，２７６号の先の出願日の、米国特許法第１１９条の下での利益を主張する。前述の仮特許出願は、あらゆる目的のためにその全体を本願に引用して援用する。
【００１１】
本出願はまた、２０１５年４月２８日に出願された「ＥＹＥＷＥＡＲ  ＴＲＡＣＫ，  ＷＩＲＥＬＥＳＳ  ＥＮＥＲＧＹ  ＴＲＡＮＳＦＥＲ  ＳＹＳＴＥＭ  ＡＮＤ  ＡＴＴＡＣＨＭＥＮＴ  ＭＥＡＮＳ  ＦＯＲ  ＥＬＥＣＴＲＯＮＩＣ  ＤＥＶＩＣＥ」と題する米国仮特許出願第６２／１５４，００７号の先の出願日の、米国特許法第１１９条の下での利益を主張する。前述の仮特許出願は、あらゆる目的のためにその全体を本願に引用して援用する。
【００１２】
本出願はまた、２０１４年１１月１７日に出願された「ＥＹＥＷＥＡＲ  ＷＩＴＨ  ＧＵＩＤＥ  ＦＯＲ  ＷＥＡＲＡＢＬＥ  ＤＥＶＩＣＥＳ」と題する米国仮特許出願第６２／０８０，４３７号の先の出願日の、米国特許法第１１９条の下での利益を主張する。前述の仮特許出願は、あらゆる目的のためにその全体を本願に引用して援用する。
【００１３】
世界は急速に、情報をその場で又はほぼその場で利用できる世界になりつつある。この情報のうちのある程度の部分は、写真及び動画である。加えて、高機能ワイヤレスデバイス及びアプリケーションにより、この情報の迅速でシームレスで手軽な伝送が可能となっている。２０１５年中に１兆個のデジタル写真が撮影され、その大部分が携帯電話のカメラで撮影されるものと推定される。さらに、今や世界で６０億個の携帯電話が所有され実際に使用されており、これらのうち約４０億がカメラと関連付けられている。
【発明の概要】
【発明が解決しようとする課題】
【００１４】
世界で２０億の個人が処方眼鏡を着用しており、世界で年間に推定３億本超の眼鏡が販売されている。従来の眼鏡はカメラを含んでいない場合があり、その理由は主として、消費者が眼鏡及び／又はアイウェアをファッションアイテムとして認識しているからである。従来のカメラを何らかの従来の技法でアイウェアに取り付けることは、眼鏡又はアイウェアの美観又はファッション外観を損なう場合がある。本開示における例は、この分野における欠点のいくつかに対処し得る。
【００１５】
ウェアラブル電子デバイスシステム、たとえばウェアラブルカメラシステム、及びアイウェア又は他のウェアラブル物品に、カメラなどの電子デバイスを取り付けるための装置及び方法が記載される。
【課題を解決するための手段】
【００１６】
本開示のいくつかの例による電子デバイスシステムは、テンプル及びテンプルと一体の第１のガイドを含むアイウェアフレームを含むことができ、テンプルは仕上げ済み表面を有し、第１のガイドはテンプル上の第１の場所とテンプル上の第２の場所との間に延在する。第１のガイドはテンプルの側面上に形成可能であり、テンプルの厚さを部分的に通って延在するか又はテンプルから突出することができ、この第１のガイドは基部及び基部に隣接する少なくとも１つの側壁を備え、テンプルの仕上げ済み表面は基部及び少なくとも１つの側壁の表面を含む。システムは、第１のガイドに連結された第２のガイドを備える、テンプルに移動可能に連結された電子デバイス、及び、電子デバイスをテンプルに固定する取り付けシステムをさらに含むことができ、この場合、電子デバイスは、テンプルに固定されたままでガイドに沿って移動可能である。いくつかの例では、第１のガイドはレール又は溝を含み得る。
【００１７】
本開示のさらなる例による電子デバイスシステムは、テンプル及びテンプルと一体の第１の固定ガイドを含むアイウェアフレームを含むことができ、テンプルは仕上げ済み表面を有し、第１の固定ガイドはテンプル上の第１の場所とテンプル上の第２の場所との間に延在する。第１の固定ガイドはテンプルの側面上に形成可能であり、テンプルの厚さを部分的に通って延在することができるか又はテンプルから突出することができる。第１の固定ガイドは基部及び基部に隣接する少なくとも１つの側壁を含むことができ、テンプルの仕上げ済み表面は、基部及び少なくとも１つの側壁の表面を含む。第１及び第２の固定ガイドを、電子デバイスが第１のガイドに沿って移動されるときに電子デバイスをテンプル上に維持するように構成することができる。いくつかの例では、第１の固定ガイドは、レール又は溝を含み得る。
【００１８】
本発明の上記の目的、特徴、態様、及び付随する利点は、添付の図面と併せて解釈されるとき、現在企図されている本発明の実施の最良の形態を含む、様々な実施形態の以下の詳細な説明から明らかになるであろう。
【図面の簡単な説明】
【００１９】
【図１】本開示のいくつかの例による固定ガイドを含むシステムの図である。
【図２】図１におけるシステムの別の図である。
【図３】図１におけるシステムのさらに別の図である。
【図４】本開示のいくつかの例による非固定ガイドを含むシステムの部分的な図である。
【図５Ａ】本開示のさらなる例による固定ガイドを含むシステムの部分的な図である。
【図５Ｂ】図５Ａにおけるシステムの別の部分的な図である。
【図６】本開示のいくつかの例によるアイウェア用の二股テンプルの側面図である。
【図７】本開示の例によるガイドを含むテンプルの図である。
【図８】本開示の例によるオフセットを含むテンプルの図である。
【図９Ａ】本明細書におけるいくつかの例によるガイド、たとえば非固定ガイドを含むテンプルの断面図である。
【図９Ｂ】本明細書におけるいくつかの例によるガイド、たとえば固定ガイドを含むテンプルの断面図である。
【図９Ｃ】本明細書におけるいくつかの例によるガイド、たとえば固定ガイドを含むテンプルの断面図である。
【図９Ｄ】本明細書におけるいくつかの例によるガイド、たとえば固定ガイドを含むテンプルの断面図である。
【図１０Ａ】本明細書におけるいくつかの例による雌溝を含むガイドの断面図である。
【図１０Ｂ】本明細書におけるいくつかの例による雌溝を含むガイドの断面図である。
【図１１Ａ】本明細書におけるさらなる例によるガイドの断面図である。
【図１１Ｂ】本明細書におけるさらなる例によるガイドの断面図である。
【図１１Ｃ】本明細書におけるさらなる例によるガイドの断面図である。
【図１１Ｄ】本明細書におけるさらなる例によるガイドの断面図である。
【図１１Ｅ】本明細書におけるさらなる例によるガイドの断面図である。
【図１１Ｆ】本明細書におけるさらなる例によるガイドの断面図である。
【図１２Ａ】テンプルに電子デバイスを固定するための磁性手段を含む固定ガイドの断面図である。
【図１２Ｂ】テンプルに電子デバイスを固定するための磁性手段を含む固定ガイドの断面図である。
【図１２Ｃ】テンプルに電子デバイスを固定するための磁性手段を含む固定ガイドの断面図である。
【図１３Ａ】本開示のいくつかの例によるカメラの図である。
【図１３Ｂ】本開示のいくつかの例によるカメラの図である。
【図１３Ｃ】本開示のいくつかの例によるカメラの図である。
【図１３Ｄ】本開示のいくつかの例によるカメラの図である。
【図１３Ｅ】本開示のいくつかの例によるカメラの図である。
【図１４Ａ】本明細書におけるいくつかの例による、シューを用いてテンプルと摺動可能に係合するように構成されたカメラの図である。
【図１４Ｂ】本明細書におけるいくつかの例による、シューを用いてテンプルと摺動可能に係合するように構成されたカメラの図である。
【図１５】本開示のさらなる例によるカメラの図である。
【図１６】本開示の別のさらなる例によるカメラの図である。
【図１７Ａ】本明細書における例による、分裂した雄レールと係合するように構成されたダブテール雌溝を含むガイドの断面図である。
【図１７Ｂ】図１７Ａにおける例による分裂した雄レールを示す図である。
【図１７Ｃ】図１７Ａにおける例によるダブテール雌溝を示す図である。
【図１８Ａ】本明細書におけるいくつかの例による、テンプルに摺動可能かつ枢動可能に連結された電子デバイスの図である。
【図１８Ｂ】本明細書におけるいくつかの例による、テンプルに摺動可能かつ枢動可能に連結された電子デバイスの図である。
【図１８Ｃ】本明細書におけるいくつかの例による、テンプルに摺動可能かつ枢動可能に連結された電子デバイスの図である。
【図１９Ａ】本開示のいくつかの例によるシステムの上面図である。
【図１９Ｂ】本開示のいくつかの例によるシステムの前面図である。
【図１９Ｃ】本開示のいくつかの例によるシステムの側面図である。
【図１９Ｄ】本開示のいくつかの例によるシステムの部分的な等角図である。
【図２０Ａ】本開示のさらなる例によるシステムの上面図である。
【図２０Ｂ】本開示のさらなる例によるシステムの前面図である。
【図２０Ｃ】本開示のさらなる例によるシステムの側面図である。
【図２０Ｄ】本開示のさらなる例によるシステムの部分的な等角図である。
【図２１Ａ】本開示のさらなる例によるカメラの図である。
【図２１Ｂ】本開示のさらなる例によるカメラの図である。
【図２１Ｃ】本開示のさらなる例によるカメラの図である。
【図２２】本開示の例によるＯリングの形態の延伸可能なバンドの図及び断面である。
【発明を実施するための形態】
【００２０】
本開示のいくつかの例による電子デバイスシステムは、テンプル及びテンプルと一体の第１のガイドを含むアイウェアフレームを含むことができ、テンプルは仕上げ済み表面を有し、第１のガイドはテンプル上の第１の場所とテンプル上の第２の場所との間に延在する。第１のガイドはテンプルの側面上に形成可能であり、テンプルの厚さを部分的に通って延在するか又はテンプルから突出することができ、この第１のガイドは基部及び基部に隣接する少なくとも１つの側壁を備え、テンプルの仕上げ済み表面は基部及び少なくとも１つの側壁の表面を含む。システムは、テンプルに移動可能に連結された電子デバイスをさらに備えることができ、電子デバイスは第１のガイドに連結された第２のガイドを備える。いくつかの例では、第１のガイドはレール又は溝を含み得る。いくつかの例では、第１及び第２の固定ガイドを、電子デバイスが第１のガイドに沿って移動されるときに電子デバイスをテンプル上に維持するように構成することができる。いくつかの例では、システムは、電子デバイスをテンプルに固定する取り付けシステムを含むことができ、この場合、電子デバイスは、テンプルに固定されたままでガイドに沿って移動可能である。
【００２１】
図１〜図３は、本開示のいくつかの例によるウェアラブルカメラシステム１００の図である。システム１００は、アイウェア１０５及びこれに取り付けられた電子デバイス１３０を含む。アイウェア１０５は、テンプル１１２を含むアイウェアフレーム１１０を含む。通常、アイウェアフレーム１１０は、着用者の頭部の各側部に対して１つずつ、１対のテンプル１１２（たとえば左及び右テンプル）を含み得る。いくつかの例では、テンプル１１２は、フレームのレンズ部分１１７にヒンジ１１３を介して枢動可能に連結される。レンズ部分は、１対のレンズ１０２、限定するものではないがたとえば、処方レンズ、非処方レンズ、着色レンズ、調光レンズ、可変焦点レンズ、焦点切り替え可能レンズ、又はこれらの任意の組み合わせを含み得る。レンズ部分は、図１〜図３の例におけるようにリム１０４を含み得るか、又は他の実施形態では、レンズ部分はリム無しとすることができる。
【００２２】
アイウェアフレーム１１０のテンプル１１２の一方又は両方は、電子デバイス１３０をアイウェアフレーム１１０のテンプルに連結するためのガイド１２０を含み得る。ガイド１２０は、互いと摺動可能に係合するように構成された第１のガイド及び第２のガイドを含む取り付けシステムの一部であってよい。この点に関して、ガイド１２０は、電子デバイス１３０上の第２のガイドと摺動可能に係合するように構成された第１のガイドとすることができる。第１のガイド（たとえばガイド１２０）は、本明細書中の例のいずれかにより実装され得るレール又は溝を含むことができ、電子デバイス上の第２のガイドは、第１のガイド１２０のレール又は溝と協働して嵌合するように構成された溝又はレールを含み得る。電子デバイス１３０は、カメラシステム又は単にカメラ１３２などの、小型化された自己完結型の電子システムであってよい。電子デバイス１３０は事実上、任意の小型化された電子デバイス、限定するものではないがたとえば、カメラ、画像取り込みデバイス、ＩＲカメラ、スチルカメラ、ビデオカメラ、画像センサ、中継器、共振器、センサ、補聴器、音声増幅器、指向性マイクロフォン、電子コンポーネントを支持するアイウェア、分光器、指向性マイクロフォン、マイクロフォン、カメラシステム、赤外線視覚システム、暗視補助器、夜間照明、照射システム、センサ、歩数計、ワイヤレスセルフォン、携帯電話、ワイヤレス通信システム、プロジェクタ、レーザ、ホログラフィックデバイス、ホログラフィックシステム、ディスプレイ、無線機器、ＧＰＳ、データ記憶装置、メモリ記憶装置、電源、スピーカ、転倒検出器、覚醒モニタ、測位、パルス検出、ゲーム、視標追跡、瞳孔監視、アラーム、ＣＯセンサ、ＣＯ検出器、ＣＯ２センサ、ＣＯ２検出器、空気粒子センサ、空気粒子計、ＵＶセンサ、ＵＶ計、ＩＲセンサ、ＩＲ計、熱センサ、温度計測器、不良空気センサ、不良空気モニタ、口臭センサ、口臭モニタ、アルコールセンサ、アルコールモニタ、運動センサ、運動モニタ、温度計、煙センサ、煙検出器、錠剤リマインダ、音声再生デバイス、音声レコーダ、スピーカ、音声増幅デバイス、音声キャンセルデバイス、補聴器、動画再生デバイス、動画レコーダデバイス、画像センサ、転倒検出器、覚醒センサ、覚醒モニタ、ヘルスセンサ、ヘルスモニタ、フィットネスセンサ、フィットネスモニタ、生理機能モニタ、生理機能モニタ、ムードセンサ、ムードモニタ、ストレスモニタ、歩数計、運動検出器、測位、パルス検出、ワイヤレス通信デバイス、ゲームデバイス、視標追跡デバイス、瞳孔センサ、瞳孔モニタ、自動リマインダ、照明、アラーム、セルフォンデバイス、電話機、携帯通信デバイス、不良空気品質警告デバイス、睡眠検出器、眠気検出器、アルコール検出器、温度計、屈折誤差測定デバイス、波面測定デバイス、収差計、ＧＰＳシステム、煙検出器、錠剤リマインダ、スピーカ、運動エネルギー源、マイクロフォン、プロジェクタ、仮想キーボード、顔認識デバイス、声認識デバイス、音声認識システム、放射能検出器、放射線検出器、ラドン検出器、水分検出器、湿度検出器、大気圧表示器、音量表示器、ノイズ表示器、音響センサ、レンジファインダー、レーザシステム、トポグラフィセンサ、モータ、マイクロモータ、ナノモータ、スイッチ、バッテリ、ダイナモ、熱出力源、燃料セル、太陽電池、運動エネルギー源、熱電気出力源であってよい。
【００２３】
ガイド１２０を、テンプル１１２の任意の側面、たとえば外側面１１１、（たとえば図５Ａ及び図５Ｂにおけるような）頂面及び／もしくは底面上、又はこれらの任意の組み合わせの上に設けることができる。ガイド１２０を、電子デバイス１３０（たとえばカメラ１３２）の、たとえば矢印１４０で示すような、所定の方向に沿った移動を案内するように構成することができる。たとえば、ガイド１２０は、電子デバイス１３０がテンプル１１２に連結されるとき、電子デバイス１３０の１つ以上の自由度を制約し得る。したがって、電子デバイス１３０の移動を、１つ以上の所定の方向に限定することができる。いくつかの例では、ガイド１２０を、テンプルの長手方向１４０に実質的に沿った、電子デバイス１３０の移動を案内するように構成することができる。長手方向は、本明細書では長さに関する方向とも呼ばれ、テンプル１１２の長さに実質的に沿って配向される方向とすることができる。ガイドはテンプルの前部で始まり、テンプルの後部まで延在することができる。ガイドはテンプルの前部２分の１で始まり、テンプルの後部２分の１まで延在することができる。ガイドはテンプルの前部３分の１で始まり、テンプルの後部３分の１まで延在することができる。ガイドはテンプルの前部で開始し、テンプルの後部２分の１まで延在することができる。ガイドの前部とガイドの後部との間の箇所において、ガイド上に電子デバイスを搭載することができる。ガイドの前部において、ガイド上に電子デバイスを搭載することができる。ガイドの後部において、ガイド上に電子デバイスを搭載することができる。テンプルの前部において、ガイド上に電子デバイスを搭載することができる。テンプルの後部において、ガイド上に電子デバイスを搭載することができる。
【００２４】
本開示によるガイドを、固定ガイド又は非固定ガイドとして構成することができる。固定ガイドを、所定の方向（たとえば長手方向１４０）に沿った電子デバイス（たとえばカメラ１３２）の移動を案内するように、及び電子デバイス（たとえばカメラ１３２）を所定位置に（たとえばテンプル１１２との係合状態に）維持するように、構成することができる。たとえば、固定ガイドは、電子デバイス（たとえばカメラ１３２）をガイド１２０との係合状態に維持するように構成される特徴を含み得る。いくつかの例では、固定ガイドを、カメラ１３２の６自由度のうちの５つ（回転に関する３つ全て及び並進に関する３つのうち２つ）を制約し、１自由度（所定の方向、たとえば長手方向１４０における並進）を制約されないままにしておくように、構成することができる。
【００２５】
非固定ガイドを所定の方向に沿った電子デバイス１３０の移動を案内し、このときデバイスをガイド１２０から係脱させ得る方向を含む他の方向に沿った、電子デバイス１３０の移動も可能にするように、構成することができる。すなわち非固定ガイドは、所定の移動の方向に対応する経路に沿って電子デバイス１３０を案内するように、１つ以上の自由度を適宜制約するに過ぎない。そのような例では、電子デバイス１３０をガイド１２０との係合状態に維持するために、固定機構が含まれ得る。いくつかの例では、固定機構は、たとえば図４を参照して以下でさらに記載されるように、１つ以上のバンドを備え得る。バンドの例は、限定するものではないが、調節可能なストラップ、Ｏリングなどの弾性リング、延伸可能な摺動部材、又はこれらの組み合わせであり得る。いくつかの例では、アイウェアに電子デバイスを取り付けるための取り付けシステムは、様々なサイズ及び／又は幾何学形状を有するテンプルに電子デバイスを連結するように構成された、複数のバンドを含み得る。たとえば、複数のバンドは、様々な直径を有する複数の弾性リング（たとえばＯリング）を備え得る。いくつかの例では、固定機構は、磁性手段を備え得る。たとえば、テンプルは、たとえば図１１Ａ及び図１１Ｂ並びに図１２Ａ及び図１２Ｂを参照してさらに記載されるように、電子デバイス上の磁石に磁力により連結するためにテンプルに取り付けるか又はこれの中に埋め込むことのできる、金属材料（たとえば金属部材）を含み得る。
【００２６】
図１〜図３の例では、ガイド１２０は、第２のガイドの雄レール１２４を少なくとも部分的に中に受容するように構成される、雌溝１２２を備える。雄レール１２４は電子デバイス上に設けることができ、雌溝１２２と協働して嵌合するような形状とされ得る。たとえば、雄レール１２４は、雌溝１２２の溝の中に挿入されるようなサイズ及び形状とされる、突出部を含み得る。図１〜図３の例では、ガイド１２０は固定ガイドとして構成される。雌溝１２２は、雄レール１２４が雌溝１２２から係脱するのを防止するように選択された断面形状を備える。この例では、雌溝１２２は概ね台形の断面を有し、雄レール１２４は、雌溝１２２の中に嵌合するような形状及びサイズとされる、逆にした概ね台形の断面を有する。概ね台形の断面を有する雌溝１２２は、溝の頂部における雌溝１２２の幅が、溝１２２の基部における雌溝１２２の幅よりも小さく、このことにより、溝に対して概ね垂直な方向における雄レール１２４の移動を防止することを示唆している。図２の例において溝及びレールによって画定される摺動可能な接合部の幾何学形状は、ダブテール幾何学形状とも呼ばれ得る。したがって、摺動可能な接合部はダブテール断面形状を有すると言うこともできる。これらの開示では、溝が雌溝と入れ替え可能に用いられる場合があり、レールが雄レールと言い換え可能に用いられる場合がある。
【００２７】
図１〜図３にさらに例示されるように、電子デバイス（たとえばカメラ１３２）を、中間構成要素、たとえばシュー１３４を用いて、テンプル１１２に連結することができる。シューは、剛性プラスチック材料などの剛性材料で形成可能であり、第２のガイドを含み得る。シューを、第２のガイドを介して第１のガイド１２０と摺動可能に係合するように構成することができる。たとえば、本例におけるようにガイド１２０が雌溝１２２を備える場合、シューは雄レール１２４を含み得る。他の例では、シューは雌溝を含むことができ、テンプル１１２は、シュー１３４の雌溝の中に挿入されるように構成された雄レールを含むことができる。何らかの例では、シュー１３４を、電子デバイス１３０（たとえばカメラ１３２）に取り外し可能に連結することができる。いくつかの例では、シューは、カメラ１３２を少なくとも部分的に覆うように構成された幾何学形状を有し得る。いくつかの例では、シューは概ねＣ字形状の断面を有し得る。さらなる例では、シューは、たとえば以下でさらに記載する図５Ａ及び図５Ｂの例におけるように、概ねＩ字形状の断面を有し得る。
【００２８】
シュー１３４は、概ね平坦な本体１３６、及び本体１３６の対向する両端部に配設された概ね直交する延長部（図２では、対を成すこれらの延長部のうちの１つ、延長部１３７だけが見えている）を含み得る。延長部を、電子デバイス１３０（たとえばカメラ１３２）の対向する側面、たとえば頂面及び底面と係合するように構成することができる。いくつかの例では、シュー１３４は、電子デバイス１３０（たとえばカメラ１３２）の前面及び後面と係合することができる。対を成す延長部の各々を、カメラ１３２のハウジング１５４とスナップ係合するように構成することができる。たとえば、延長部１３７は、ハウジング１５４の表面特徴内に受容され得る取り付け特徴を含み得る。シュー１３４が有し得る長さは、（たとえば図１６Ｂにおけるように）カメラの長さと実質的に同じであるか、又は（たとえば図１〜図３におけるように）カメラの長さよりも短い長さとすることができる。長さは、カメラ１３２に連結されるとき、シュー１３４がこれと強固に係合するように選択することができる。いくつかの例では、シュー１３４の長さを、カメラ１３２の長さの約２分の１から４分の１の間とすることができる。いくつかの例では、シューの長さを、カメラ１３２の長さの約３分の１とすることができる。
【００２９】
本明細書で記載されるように、ガイドは、テンプルに沿って、テンプル上の第１の場所とテンプル上の第２の場所との間に延在し得る。いくつかの例では、第１のガイドを、たとえば図１〜図４の例において例示されるように、テンプルの外側面上に形成することができる。テンプル上の第１の場所を、テンプルの前端部における場所とすることができ、テンプル上の第２の場所を、テンプルの後端部近くの場所とすることができる。たとえば、第２の場所を、テンプルの後端部から前方にテンプルの長さの約１／３の距離である場所とすることができる。いくつかの例では、ガイドは、テンプルの長さの特定のパーセンテージだけ延在することができ、たとえば、ガイドは、テンプルの長さの約５０％、約６０％、約７０％、もしくは約８０％、又はテンプルの長さの約４０％から約９０％の間の任意のところまで延在することができる。
【００３０】
いくつかの例では、ガイドは、電子デバイスの幅がテンプルの内側と着用者の頭との間の距離よりも大きい、耳に最も近い場所まで電子デバイスを移動できるように、テンプルに沿って十分に遠くまで延在する。たとえば、電子デバイスを、これがテンプルの内側に位置付けられていれば電子デバイスの幅に起因して着用者の顔に当たっていたであろう場所に達するような後方の十分遠くまで、着用者の耳に向かってガイドに沿って移動できるように、少なくとも部分的にテンプルの上方、下方、又は外側に位置付けることができる。ガイドは、テンプルの内側に、テンプルの外側に、テンプルの頂部もしくは底部上に、又はこれらの組み合わせにあってよい。
【００３１】
図４は、アイウェアフレーム２１０（図４には一部のみ示す）のテンプル２１２を備えるシステム２００の部分的な図である。いくつかの例では、システムは、テンプル２１２と摺動可能に係合されたカメラ２３２も含み得る。カメラ２３２は、カメラ２３２がテンプル２１２に沿って移動可能となるように、ガイド２２０を介してテンプル２１２と摺動可能に係合される。たとえば、カメラ２３２を、テンプル２１２の長さに沿った第１の位置と第２の位置との間で移動可能とすることができる。第１の位置は前方位置とすることができ、第２の位置は後方位置とすることができる。カメラ２３２が第１の位置にあるとき、カメラ２３２の前端部２３３は、テンプル２１２の実質的に前端部２０６のところ、前端部２０６の僅かに前方、又は前端部２０６の僅かに後方にあることができる。後方位置は、カメラ２３２を視界から実質的に隠すように選択される（たとえばアイウェアフレーム２１０を着用する人の耳の背後の）位置とすることができる。
【００３２】
図４の例では、ガイド２２０は、テンプル２１２の長さに関する方向２４０に沿ったカメラ２３２の移動を案内するように構成される。この点に関して、ガイド２２０は、テンプル２１２の長さの少なくとも一部に沿って延在する。いくつかの例では、テンプルは、第１の部分２１４及び第２の部分２１６を含む。テンプル２１２の第１の部分２１４（たとえば前方部分２１４）は、テンプル２１２の前端部２０６から、テンプル２１２が、たとえば着用者の頭部との係合のために、より具体的には着用者の耳の背後への設置のために、下向きに湾曲する場所まで延在し得る。テンプル２１２の第２の部分２１６（たとえば後方部分２１６）は、テンプルが下向きに湾曲する場所からテンプルの後方端部２１５まで延在し得る。いくつかの例では、ガイドは、テンプル２１２の長さの少なくとも一部、たとえば第１の部分の長さに沿って延在し得る。いくつかの例では、ガイドは第１の部分の長さに部分的に沿って、又は第１の部分を越えて延在し得る。ガイド２２０を、カメラ２３２上の第２のガイドと係合するように構成される第１のガイドとすることができる。
【００３３】
既に記載したように、本開示によるガイドは、固定ガイド又は非固定ガイドであってよい。固定ガイドは、電子デバイスを、このデバイスがガイドに沿って移動されるときに、所定位置に保持する。非固定ガイドは、電子デバイスを、これがガイドに沿って移動されるときに、所定位置に保持しなくてもよい。電子デバイスをこれが非固定ガイドに沿って移動するときにこのガイドに固定するために、非固定ガイドとともに固定機構を用いることができる。いくつかの例では、ガイドは、さらに記載されるように、（たとえば図４の例におけるような）非固定雌溝、（たとえば先の図１〜図３の例におけるような）固定雌溝、非固定雄レール、又は固定雄レールを含み得る。理解されるであろうが、本開示によるガイドは、テンプルの１つ以上の側面に配設もしくは連結された、及び／又は電子デバイスに配設もしくは連結された、１つ以上のレール又は１つ以上のトラックを含み得る。たとえば図９〜図１２を参照する、本明細書に記載のガイドの具体的な例は、例示的なものに過ぎない。本開示によるレール及び／又はトラックのいずれも、テンプル又は電子デバイスのいずれかの上に、入れ替え可能に設けることができる。テンプル、及びアイウェアへの電子デバイスの取り付けシステムは、本明細書に記載のレール、溝、及びこれらの特徴のいずれかののうち１つ以上を任意の組み合わせで有するガイドを含み得る。
【００３４】
図４の例では、ガイド２２０は、ガイド２２０がカメラ２３２の移動を案内するがそれ以外ではカメラ２３２をアイウェアに固定しないという形で、非固定ガイドとして実装される。固定によって、カメラがガイド２２０と係合した、たとえばテンプル上に設けられたレール又は溝と係合したままとなるように、アイウェアにカメラが連結されることが示唆される。図４のガイド２２０は、雄レール（図示せず）を受容するように構成された非固定雌溝を含む。雄レールをカメラ２３２と一体化する、又はこれに連結することができる。たとえば、雄レールをカメラ２３２のハウジング２５４と一体化することができる。さらなる例では、雄レールを中間構成要素（たとえば図１〜図３の例において例示されるようなシュー）に組み込むことができ、この中間構成要素をカメラ２３２に連結することができる。
【００３５】
いくつかの例では、システム２００は、固定機構２５０を含み得る。いくつかの例では、固定機構は、カメラ２３２のハウジング２５４上の表面特徴２５６と係合してカメラ２３２をガイド２２０との係合状態に維持するように構成され得る、１つ以上のバンド２５２を含み得る。バンド２５２は、延伸可能なバンドとすることができる。たとえば、図４のバンド２５２は、弾性リング２５３（たとえば図２２の例におけるようなＯリング）として実装され、これらは、テンプル２１２の長さに沿ったカメラ２３２の移動を可能にしながら、カメラ２３２をテンプル２１２に向けて付勢する。延伸可能なバンドは、電子デバイスを非固定ガイド上に固定しながら、アイウェアのテンプルの設計、外形、厚さ、及び幅の変化に適合することができる。いくつかの例では、追加の保護のために、たとえば電子デバイスが予期せず固定ガイドから係脱された状態になるリスクを低減するために、固定ガイドとともに固定機構を用いることができる。表面特徴２５６は、ハウジング２５４の表面から延在し得る、リブを含み得る。弾性リング２５３は、たとえば１対のリブの間に位置付けられることによって、表面特徴２５６と係合し、カメラ２３２をテンプル２１２に向けて付勢し得る。いくつかの例では、表面特徴２５６は、ハウジング２５４の表面上に、中に弾性リング２５３を受容できる窪みを含み得る。表面特徴により、電子デバイスがガイドに沿って移動されるときに固定機構（たとえば延伸可能なバンド）が電子デバイスから滑り落ちるリスクが低減される。このようにして、表面特徴により、電子デバイスがガイドに沿って移動される間、電子デバイスに取り付けられた状態に固定機構を維持することができる。他の例では、固定機構２５０は、たとえば図１２Ａ〜図１２Ｃを参照して記載されるような、磁性手段を含み得る。
【００３６】
ここで図５Ａ及び図５Ｂを参照して、さらなる例による電子デバイスをアイウェアに取り付けるための第１及び第２のガイドを含む取り付けシステムが記載される。図５Ａ及び図５Ｂは、本開示によるシステム３００の部分的な図を示す。システム３００は、アイウェアフレームのテンプル３１２を含み、このテンプル３１２は第１のガイド３２０を備える。ガイド３２０は、電子デバイス３３０上の第２のガイドと摺動可能に係合するように構成される。いくつかの例では、電子デバイスはカメラとすることができる。この例におけるガイド３２０は、固定ガイドとして実装される。ガイド３２０は、テンプル３１２の対向する両側面上に配設された１対の雌トラック３２２を備える。すなわち、ガイド３２０は、テンプル３１２の第１の側面３１８（たとえば頂面３１８）上に設けられた第１の溝３２２−１（たとえば頂部溝３２２−１）、及びテンプル３１２の第２の側面３１９（たとえば底面３１９）上に設けられた第２の溝３２２−２（たとえば底部溝３２２−２）を含む。トラック３２２−１、３２２−２は、閉じた溝とも呼ばれる、概ねＵ字形状の断面を有する溝を備える。いくつかの例では、限定するものではないが、本開示によるトラックは、Ｌ字形状の断面（開いた溝とも呼ばれる）、概ねＣ字形状の断面（フック溝とも呼ばれる）、逆Ｔ字形状の断面、Ｖ字形状の断面、又はダブテール断面などの、他の断面を有し得る。部分的に閉じた溝は、溝の基部から延在する、２つの対向する側壁を含み、これらの側壁は、同じ又は異なる高さを有する。開いた溝は、ただ１つの側壁を含む。フック溝は、側壁、及びこの側壁に隣接し溝の基部に対向する頂部壁を含む。逆Ｔ字形状の断面を有する溝は、溝の対向する側壁から互いに向かって延在する部分的な頂部壁を含み、このことにより、溝の頂部部分及び／又は開口部よりも広い基部を有する溝を画定する。Ｖ字形状の断面を有する溝は、溝の側壁同士の間の角度を全体に画定する基部を含む。
【００３７】
この例では、電子デバイス３３０は、シュー３３４などの中間構成要素を用いてテンプル３１２に連結される。シュー３３４は、電子デバイス３３０とテンプル３１２との間に配設される。シュー３３４は、ガイド３２０と摺動可能に係合するように構成され、電子デバイス３３０と係合するようにさらに構成される。シュー３３４は、断面が概ねＩ字形状である。すなわち、シュー３３４は、概ね平坦な幾何学形状を有する本体３３６を含む。シュー３３０は、本体の対向する両端部から本体３３６に対して概ね垂直な第１の方向に向かって延在する１対の雄レール３２４−１、３２４−２を備える、ガイドをさらに含む。雄レール３２４−１及び３２４−２の各々は、雌トラック３２２のそれぞれ１つ（たとえば第１及び第２のトラック３２２−１、３２２−２のそれぞれ）の中に挿入されるように構成される。シュー３３４は、たとえば本体３３６から第１の方向と反対の第２の方向に延在する延長部３３７及び３３８を介して、電子デバイス３３０に連結されるようにさらに構成される。
【００３８】
ここで図６〜図８を参照すると、本開示によるテンプルの追加の特徴が記載される。
【００３９】
いくつかの例では、延長されたガイドを提供することが望ましい場合があり、これにより、延長されたガイドがない別の場合に可能であるよりも良好に電子デバイスを使用者の耳の背後に隠すように、使用者が電子デバイスをさらに後方に摺動することが可能となり得る。図６は、テンプル６１２、この場合は二股テンプル６１２と摺動可能に係合された電子デバイス６３０を含む、別のシステム６００の部分的な図を例示している。テンプル６１２は、溝６２２を含むガイド６２０を含む。具体的に例示されていないが、ガイド６２０が他の例ではレールを含み得ることが、理解されるであろう。この例では、電子デバイス６３０は、シュー６３４を用いてガイド６２０に摺動可能に連結される。
【００４０】
テンプル６１２は、前方部分６１４及び後方部分６１６を含む。後方部分は、後方上側部分６１６−１及び後方下側部分６１６−２へと分岐される。後方上側部分６１６−１は概ね前方部分６１４と一致しており、一方、後方下側部分６１６−２は下向きに湾曲している場合があり、したがって湾曲部分６１６−２とも呼ばれる。ガイド６２０は、テンプル６１２の前方部分６１４及び後方上側部分６１６−１に沿って延在する。ガイド６２０は、前方部分６１４及び後方上側部分６１６−１それぞれの長さの一部又は実質的に全てに沿って延在し得る。テンプル６１２の湾曲部分６１６−２は、全体に使用者の耳の背後及び／又は周囲に適合するような形状とすることができる。いくつかの例では、ガイドは、たとえば図１〜図５の例において例示されるように、湾曲部分に近接して又はその前方で終端し得る。そのような例では、電子デバイスが移動可能であり得る最も遠い位置は、湾曲部分の位置又はその前方の位置とすることができる。図６の例では、二股テンプル６１２は、電子デバイス６３０がレンズ部分（この図には図示せず）に対してより後方に位置付け可能となりしたがって視界からより良好に隠され得るような、電子デバイス６３０にとって利用可能な移行の量だけ延在し得る。
【００４１】
図７は、様々な幾何学形状を有するガイドを有するテンプルの３つの例７００、７００’、及び７００’’を例示している。第１の例７００では、テンプル７１２は、溝７２２を備えるガイド７２０を含む。溝７２２は、平面視したとき、概ね矩形の形状を有する。溝７２２の側壁同士の間の距離ｄは、溝７２２の長さに沿って実質的に一定のままである。第２の例７００’では、テンプル７１２’は、ガイド７２０’を含む。ガイド７２０’は、平面視において先細の幾何学形状を有する溝７２２’を備える。例７００’では、溝７２２’の前方部分は、溝の前端部に向かって狭くなる。第３の例７００’’では、テンプル７１２’’は、平面視において同じく先細の幾何学形状を有する溝７２２’’を備える、ガイド７２０’’を含む。この第３の例７００’’では、溝７２２’’は、溝の後端部に向かって先細となる。すなわち、溝７２２’’の後方部分は、溝の後端部に向かって狭くなる。したがって、溝７２２’の側壁同士の間の距離ｄ’は、溝７２２’の長さの少なくとも一部に沿って減少する。同様に、溝７２２’’の側壁同士の間の距離ｄ’’は、溝７２２’’の長さの少なくとも一部に沿って減少する。
【００４２】
本開示による溝は通常、少なくとも１つの側壁を含み、第２の対向する側壁、頂部壁、又はこれらの組み合わせも含み得る。側壁は、溝の基部から延在し溝の長さの一部に跨る、溝の壁である。頂部壁は、一方の側壁から延在する溝の壁である。頂部壁は、溝の基部に概ね対向して配置構成することができ、さらに溝の長さの少なくとも一部に跨ることのできる、部分的な壁とすることができる。いくつかの例では、溝は、前方溝壁及び後方溝壁、又は両方を含み得る。前方及び後方溝壁は、溝の基部から延在し側壁同士の間の距離に跨る、溝の壁である。溝７２２は、開いた前端部及び閉じた後端部を有する。すなわち、溝７２２は後方溝壁を含むが、前方溝壁は含まない。溝７２２’は、閉じた後端部及び先細となる開いた前端部を有する。この例では、溝７２２’は後方壁を含むが、前方溝壁は含まない。溝７２２’’は、閉じた前端部及び先細となる開いた後端部を有する。すなわち、溝７２２’’は前方溝壁を含むが、後方溝壁は含まない。本開示によるトラックが、具体的に例示した例以外の幾何学形状を有し得ることが、諒解されるであろう。たとえば、溝は、たとえば図３に例示するように、閉じた前端部及び閉じた後端部の両方を有し得る。いくつかの例では、溝は、前端部に向かって及び後端部に向かっての両方で先細となり得る。さらなる例では、溝は、先細となる閉じた端部を含み得る。
【００４３】
図８は、本開示のさらなる例によるオフセットを有するテンプル８１２を含む、システム８００の部分的な上面図である。システム８００は、アイウェアフレームのテンプル８１２及び電子デバイス８３０（たとえばカメラ８３２）を含む。電子デバイス８３０は、テンプル８１２に摺動可能に連結される。システム８００は、固定機構８５０（たとえばバンド８５２−１及び８５２−２）をさらに含む。固定機構は、電子デバイス８３０を、テンプル８１２上に設けられたガイドとの係合状態に維持するように構成される。テンプル８１２は、第１の部分８１４及び第２の部分８１６を含む。第２の部分８１６は、第１の部分８１４から、固定機構８５０又はその一部に対処するように選択されたオフセット距離８２１だけオフセットされる。たとえば、オフセット距離８２１は、バンド８５２−１及び８５２−２のいずれかの厚さｔなどの、固定機構の寸法８２３以上とすることができる。いくつかの例では、厚さｔは約２ｍｍ以下とすることができる。いくつかの例では、バンド８５２−１及び８５２−２は、丸形の断面（たとえば円形の断面）を有し得る。そのような例では、厚さは、言い換え可能に断面の直径と呼ばれる場合がある。本開示の実施形態が、本明細書において具体的な例のいずれかを参照して記載される特徴の任意の組み合わせを含み得ることが、理解されるであろう。たとえば、テンプルは、図６を参照して記載されるような二股テンプルとすることができ、図８を参照して記載されるようなオフセットを含むこともできる。本開示によるテンプルは、テンプルの特徴のいずれか及び／又は本明細書に記載のガイドのいずれかを任意の組み合わせで含み得る。
【００４４】
ここで図９〜図１４を参照すると、本開示によるガイドの特徴がさらに記載される。本開示によるガイドは、雄レール又は雌溝を含み得る。雄レール（レールと言い替え可能）によって、このレールが、雌溝の中に挿入されるように構成された１つ以上の突出部を含むことが意図される。同様に、雌溝（溝と言い換え可能）によって、この溝が、レールを中に少なくとも部分的に収容するような形状とされる１つ以上の溝を含むことが示唆される。いくつかの例では、溝という用語は、テンプルの表面の窪みだけでなく、テンプルの厚さを貫通するスロットなどの貫通特徴も示唆することが意図されている。本明細書中の例では、雌溝は、テンプルの１つ以上の側面、たとえばテンプルの頂面、テンプルの底面、テンプルの外側面、テンプルの内側面、又はこれらの組み合わせ上に配置できる、単一の溝又は複数のトラックを備え得る。例においては、雌溝は、電子デバイスの任意の側面上に、単一の溝又は複数のトラックを備え得る。所望され得るような幾何学形状の任意の組み合わせを有する、任意の数のトラックが含まれ得る。類似して、本開示による雄溝は、テンプルの１つ以上の側面、たとえばテンプルの頂面、テンプルの底面、テンプルの外側面、テンプルの内側面、又はこれらの組み合わせ上に配置された、単一のレール又は複数のレールを備え得る。例においては、雄レールは、電子デバイスの任意の側面上に、単一のレール又は複数のレールを備え得る。
【００４５】
所望され得るような幾何学形状の任意の組み合わせを有する、任意の数のトラックが含まれ得る。本開示による取り付けシステムは、テンプルに組み込まれる（たとえばテンプル内に埋め込まれるか又はテンプルに連結される）第１のガイドを含むことができ、この第１のガイドはレール又は溝のいずれか一方を備えることができ、取り付けシステムはさらに、電子デバイス上に設けられた（たとえば電子デバイス内に埋め込まれるか又は電子デバイスに連結された）第２のガイドを含み、この第２のガイドは、テンプルのレール又は溝に連結するように構成された対応するレール又は溝を備える。埋め込まれた又は一体化されたという用語は、ある特徴が、ある構成要素（たとえば電子デバイス又はテンプル）と一体であるか又はこれに取り外し不可能に取り付けられることを示唆することが意図されている。組み込まれた又は組み込むという用語は、構成要素を、連結すること並びに一体化する又は埋め込むことを含む。すなわち、組み込まれる構成要素を、別の構成要素に取り外し可能に連結することができるか、又は、他の構成要素内に埋め込むことができる。本明細書中の図における例示が本開示の理解を容易にするために提供されており、テンプル、ガイド、レール、トラック、及び／もしくはこれらの特徴のいくつかもしくは全てが縮尺通りではない場合があり、かつ／又は、本開示を不明瞭にしないように、これらの例示のいくつかを簡略化できることが、諒解されるであろう。いくつかの例では、ガイドはテンプルと一体であってよく、テンプルの設計の一部であってよい。いくつかの例では、ガイドを、テンプルの表面外形に組み入れることができる。いくつかの例では、ガイドをテンプルとは別個に製造し、任意の適切な既知の技法、限定するものではないがたとえば、ねじ、ボルト、フック、温度収縮材料、糊、接着剤、ベルクロ（登録商標）、磁石、ストラップにより、テンプルに取り外し可能に又は取り外し不可能に取り付けることができる。何らかの例では、ガイドはテンプルから取り外し可能とすることができる。この点に関して、既存のアイウェアフレームに取り付け可能な別個のガイドが、たとえば既に製造及び／又は消費者に販売されているアイウェアを改良するための、アイウェアのアフターマーケットに対応する役割を果たし得る。例においては、ガイドは電子デバイスと一体とすることができ、電子デバイスの設計の一部とする（たとえば電子デバイスのハウジングと一体とする）ことができる。何らかの例では、たとえばシュー又は別の中間構成要素を介して、ガイドを電子デバイスに連結することができる。いくつかの例では、電子デバイスは、以下にさらに詳細に記載するように、電子デバイスと一体のガイドを含むことができ、電子デバイスと一体に設けられたガイドとは異なるガイドと係合するための、中間構成要素に連結するように動作可能とすることもできる。
【００４６】
いくつかの例による取り付けシステムは、ウェアラブル物品に連結されるように構成された細長い部材を含むことができ、この細長い部材は、細長い部材の長さに沿って延在し電子デバイスと摺動可能に係合するように構成されたガイドを備える。いくつかの例では、電子デバイスはカメラとすることができる。いくつかの例では、取り付けシステムを、レール又は溝を含む細長い部材、及び他方の対向するレール又は溝を含む電子デバイスを含む、キットとして提供することができる。細長い部材を、たとえば固定具、接着剤、ストラップ、バンド、弾性リングなどを介して、又は１つ以上の磁石を用いて、テンプルに取り付けることができる。いくつかの例では、システムは、細長い部材がウェアラブル物品に連結されるとき電子デバイスを細長い部材及びウェアラブル物品に向けて付勢するように構成された、固定機構も含み得る。たとえば、固定機構は、バンド、調節可能なストラップ、弾性リング、延伸可能な摺動部材、又はこれらの組み合わせを含み得る。いくつかの例では、使用者が電子デバイスを形状及びサイズの異なる様々なテンプルのいずれにも連結することができるように、単一のキット中に、複数のバンド、調節可能なストラップ、弾性リング、及び／又は摺動部材を含むことができる。いくつかの例では、電子デバイスとガイドを備える細長い部材との間の固定機構は、たとえば図１２を参照して以下に記載されるような、磁力による機構とすることができる。
【００４７】
本開示のいくつかの例によれば、電子デバイスキットは、電子デバイス及び延伸可能なバンドを含むことができ、この場合、電子デバイスはバンドに係合するための表面特徴を備え、またこの場合、電子デバイスをアイウェアのテンプルに付着させることができ、電子デバイス及びバンドがアイウェアのテンプルに取り付けられたままである間に並びにアイウェアが着用者によって着用されている間に、アイウェアのテンプルの前方３分の１以内に配置された箇所からアイウェアのテンプルの後方３分の１以内の箇所まで、電子デバイス及びバンドを移動させることが可能になる。延伸可能なバンドは、たとえば図２２を参照して記載されるような、丸形の芯部断面を有するＯリングとすることができる。
【００４８】
図９Ａ〜図９Ｄは、本明細書におけるいくつかの例による雄レールを含むガイドの断面図を示す。テンプル、ガイド、レール、トラック、及び／又はこれらの特徴のいくつか又は全てが縮尺通りではない場合があり、これらの例示は本開示の理解を容易にするためにのみ提供されていることが諒解されるであろう。図９Ａ〜図９Ｆを参照してここで記載したレールの例は、テンプルに組み込まれているという文脈において例示されているが、本開示によるレールの実施形態のいずれも、テンプル上に設けられたレールに連結するために電子デバイス上に代わりに設けることができることが、さらに諒解されるであろう。
【００４９】
図９Ａは、この例では非固定ガイドであるガイド９２０ａを備えるテンプル９１２ａを、断面で示す。ガイド９２０ａは、概ね矩形の断面形状を有するレール９２４ａを備える。レール９２４ａは、レール９２４ａの基部９６２ａから頂部９６３ａまで互いと概ね平行である、側壁９６１ａを含む。いくつかの例では、レールは、（たとえば点線で示すような）概ね丸形の断面形状、たとえば半円の断面形状又は半卵形の断面形状を有し得る。さらなる例では、これらの突出部は、概ね台形の断面形状を有し得る。レール９２４ａはこの例では、テンプル９１２ａの外側面９１１ａ上に配置される。いくつかの例では、レール９２４ａは、頂面９１８ａ、底面９１９ａ、又はこれらの組み合わせ上にあってよい。
【００５０】
図９Ｂは、この例では固定ガイドであるガイド９２０ｂを備えるテンプル９１２ｂの別の例を、断面で示す。ガイド９２０ｂは、概ねＴ字形状の断面を有するレール９２４ｂを備える。レール９２４ｂは、頭部分９６４ｂ及び首部分９６６ｂを含む。頭部分９６４ｂの幅９６５ｂは、首部分９６６ｂの幅９６７ｂよりも大きい。より狭い首部分９６６ｂを含むことによって、レール９２４ｂは、電子デバイス９３０がガイド９２０ｂに連結されるときにこれとの係合状態に維持されるように、溝の固定特徴に係合するように構成される。図９Ｂの例では、首部分９６６ｂの側壁９６８ｂは、互いと概ね平行である。
【００５１】
図９Ｃは、この例では固定ガイドであるガイド９２０ｃを備えるテンプル９１２ｃを、断面で示す。ガイド９２０ｃは、頭部分９６４ｃ及び首部分９６６ｃを含む、レール９２４ｃを備える。頭部分９６４ｃの幅９６５ｃは、首部分９６６ｃの幅９６７ｃよりも大きい。このようにして、レール９２４ｃは、電子デバイス（図示せず）をガイド９２０ｃとの係合状態に維持する役割を果たし得る。この例では、首部分９６６ｃは先細となる。首部分９６６ｃの側壁９６８ｃは互いに向けて角度を付けられ、この結果、首部分９６６ｃの幅９６７ｃは、レール９２４ｃの基部９６２ｃから頭部分９６４ｃに向かって減少している。
【００５２】
図９Ｄは、この例では固定ガイドであるガイド９２０ｄを備えるテンプル９１２ｄを、断面で示す。ガイド９２０ｄは、頭部分９６４ｄ及び首部分９６６ｄを含む、レール９２４ｄを備える。首部分９６６ｄは、テンプル９１２ｂに連結される電子デバイスの特定の特徴及び／又は構成要素のための隙間を提供し得る、プラットフォーム９６９ｄ上に配置構成される。この例では、首部分９６６ｄを、これがその長さに沿って先細となるという点では、首部分９６６ｃと同様に構成することができる。しかしながら、この例では、首部分９６６ｄは、図９Ｃにおける首部分９６６ｃの反対方向において先細となる。首部分９６６ｄの側壁９６８ｄは互いに向けて角度を付けられ、この結果、首部分の幅９６７ｄは、頭部分９６４ｄからレール９２４ｄの基部９６２ｄに向かって減少している。他の例では、首部分９６６ｄは、図９Ｃの例におけるのと同じ方向において先細となり得る。
【００５３】
ここで図１０〜図１４を参照すると、本明細書における例によるトラックを備えるガイドを含むテンプルがさらに記載される。トラックは事実上、所望され得るような任意の形状を有することができ、たとえばトラックは、概ね矩形、正方形、丸形、三角形、台形、もしくは逆台形の形状、又はこれらの任意の組み合わせを有することができる。テンプル上のガイドを参照して様々な断面を有するトラックが記載されるが、本明細書に記載の断面のいずれかを有するトラックを含む電子デバイス上のガイドも、本開示の範囲内である。
【００５４】
図１０Ａ及び図１０Ｂは、いずれも固定ガイドとして構成されたガイド１０２０ａ及び１０２０ｂを備える、テンプルの断面図を示す。図１０Ａにおけるガイド１０２０ａは、逆にした概ねＴ字形状の断面を有する溝１０２２ａを含む。溝１０２２ａは、電子デバイス１０３０ａのレール１０２４ａを受容するように構成され、レール１０２４ａは概ねＴ字形状の断面を有する。レール１０２４ａは、図９Ｂを参照して既に記載したレール９２４ｂの特徴のいくつか又は全てを含み得る。この目的のために、溝は、レールの頭部分を収容するように選択された第１の幅１０７２ａ、及びレールの首部分を収容するように選択された第２の幅１０７４ａを有することができ、第２の幅は、頭部分の幅よりも小さい。溝は、側壁１０６１ａ、及びこれらの側壁から互いに向かって延在する部分的な頂部壁１０７０ａによって画定された溝を備え得る。部分的な頂部壁１０７０ａは、首部分に向かって内向きに延在することができ、このことによりレールを溝との係合状態に保持する。
【００５５】
図１０Ｂにおけるガイド１０２０ｂは、第１の溝１０２２ｂ−１、第２の溝１０２２ｂ−２、及び第３の溝１０２２ｂ−３を含む複数のトラックを備える固定ガイドである。この例では、トラックのうちの１つは、電子デバイス上にレールを固定してガイド１０２０ｂと係合させることを特徴とする。たとえば、第１の溝１０２２ｂ−１は、図１０Ａを参照して記載した溝１０２２ａの特徴のいくつか又は全てを含み得る。たとえば、溝１０２２ｂ−１は、側壁１０６１ｂ及びこれらの側壁から互いに向かって延在する部分的な頂部壁１０７０ｂによって画定された、逆にした概ねＴ字形状の断面を有する溝を含む。複数のトラックのうちの他のものは、固定的又は非固定的なものとすることができ、所望され得るような事実上任意の幾何学形状を有し得る。本明細書における具体的な例では、溝１０７０ｂ−２及び１０７０ｂ−３は非固定的であり、概ね矩形の幾何学形状を有する。この例における全ての溝は、テンプル１０１２ｂの外側面１０１１ｂ上に配置構成される。他の例では、頂面、底面、外側面、内側面、又はこれらの組み合わせ上に、溝を配設することができる。本開示の文脈では、テンプルの外側面は、アイウェアの着用時に着用者の頭部から最も遠く離れた、テンプルの側面であり、また内側面は、着用者の頭部に最も近い側面である。頂面は、着用者の頭部の頂部に最も近い側面であり、底面は、頂面の反対側にありかつ着用者の頭部の頂部から最も遠い側面である。頂部、底部、内側、及び外側の指定は恣意的なものであるが、本明細書では本開示の例の説明のために提供されていることが、理解されるであろう。
【００５６】
ここで図１１Ａ〜図１１Ｆも参照して、本開示によるトラックを備えるガイドのさらなる例が記載される。図１１Ａ〜図１１Ｆは、テンプルの頂面上に配設された少なくとも１つの溝を含むガイドの断面図である。
【００５７】
図１１Ａは、この例では開いた溝の幾何学形状を有する非固定ガイドであるガイド１１２０ａを含む、テンプル１１１２ａの断面図を示す。溝１１２２ａは、基部１１７１ａ及び単一の側壁１１６１ａによって画定された、概ねＬ字形状の断面を有する。ガイド１１２０ａはこの例では、テンプル１１１２ａの頂面１１１８ａ上に配置される。いくつかの例では、テンプルは、全体に点線によって示された金属部分１１８０ａを含むことができ、溝１１２２ａは、金属部分１１８０ａ内に配置され得る。溝を金属部分内に配置することにより、比較的薄い側壁を有し得る溝の、構造的完全性を高めることができる。いくつかの例では、ガイドは追加のトラック、たとえばテンプルの外側面上に配置されたトラック（たとえばトラック１１２２ａ−２、１１２２ａ−３）、又は図１１Ｆを参照してさらに記載されるようなテンプルの底面上に配置されたトラックを含み得る。トラックは、事実上任意の幾何学形状を有することができ、たとえば、第２の溝１１２２ａ−２は、概ねＵ字形状の断面を有し得る。いくつかの例では、第３の溝１１２２ａ−３は、溝の基部に向かって互いへと角度を付けられた壁を有する溝によって画定された、概ねＶ字形状の断面を有し得る。
【００５８】
図１１Ｂは、この場合は固定ガイドであるガイド１１２０ｂを含むテンプル１１１２ｂの、断面図を示す。ガイド１１２０ｂは、第１の溝１１２２ｂ−１及び第２の溝１１２２ｂ−２を含む、複数のトラックを含む。第１の溝１１２２ｂ−１は、テンプル１１１２ｂの頂面１１１８ｂ上に配置される。第１の溝１１２２ｂ−１は、開いた溝の幾何学形状を有する。すなわち、溝１１２２ｂ−１は、基部１１７１ｂ及び単一の側壁１１６１ｂ−１によって画定された、概ねＬ字形状の断面を有する。第２の溝１１２２ｂ−２は、頂面１１１８ｂに隣接するテンプルの側面、この場合は外側面１１１１ｂ上に配置される。溝１１２２ｂ−１は、ガイド１１２０ｂに対する、電子デバイス（図示せず）の下向きの一部側方の移動を制約するように構成される。溝１１２２ｂ−２は、電子デバイスの上向きの移動並びに側方の移動を制約する。第２の溝は、第２の溝の側壁１１６１ｂ−２の一方から延在する、部分的な頂部壁１１７０ｂを含む。このようにして、第２の溝はまた、部分的な頂部壁により、電子デバイスがこれに連結されるときに電子デバイスの回転に関する自由度も制限する。第１及び第２のトラックは、残りの２つの回転に関する自由度も制約し、このことにより、テンプルの長手（たとえばページに出入りする）方向に沿って、電子デバイスを案内する。このようにして、第１及び第２のトラックが組み合わされて、固定ガイドとして機能する。テンプル１１１２ｂは、いくつかの例では、金属部分（たとえば部分１１８０ｂ）を含むことができ、第１の溝、第２の溝、又は両方を、この金属部分内に配置することができる。
【００５９】
図１１Ｃは、この場合は固定ガイドであるガイド１１２０ｃを含むテンプル１１１２ｃの、断面図を示す。ガイド１１２０ｃは、第１の溝１１２２ｃ−１及び第２の溝１１２２ｃ−２を含む、複数のトラックを含む。第１の溝１１２２ｃ−１は、図１１Ｂの例の溝１１２２ｂ−１と同様とすることができる。たとえば、溝１１２２ｃ−１はテンプルの頂面上に配置され、開いた溝の幾何学形状を有する。第２の溝１１２２ｃ−２は、テンプル１１１２ｃの隣接する側面上、この場合は外側面１１１１ｃ上に配置される。テンプル１１１２ｃは、いくつかの例では、金属部分（たとえば部分１１８０ｃ）を含むことができ、第１の溝、第２の溝、又は両方を、この金属部分内に配置することができる。第２の溝１１２２ｃ−２は、第１の溝１１２２ｃ−１に対して角度を付けることができ、このことにより、固定ガイドとしてのガイド１１２０ｃの機能性を改善することができる。たとえば、溝１１２２ｃ−２を、溝１１２２ｃ−２の中心線１１７７ｃ−２が溝１１２２ｃ−１の中心線１１７７ｃ−１に対して鈍角を画定するように、配向することができる。トラック１１２２ｃ−１及び１１２２ｃ−２のそのような相対的な配向により、これらに連結された電子デバイスの、テンプル１１１２ｃの長手方向を中心としたどのような回転も、より良好に制約することができる。
【００６０】
図１１Ｄは、この場合は非固定ガイドであるガイド１１２０ｄを含むテンプル１１１２ｄの、断面図を示す。ガイド１１２０ｄは、テンプルの頂面上に配置され概ねＣ字形状の幾何学形状を有する、溝１１２２ｄを含む。すなわち、溝１１２２ｄは、単一の側壁１１６１ｄ及び頂部壁１１７０ｄを含む溝（たとえばフック溝）を備える。頂部壁１１７０ｄは、電子デバイス１１３０ｄの構成要素及び／又は取り付けシステム（たとえばレール１１２４ｄ）が、溝と係合するようにこのレールが設けられるときに使用者の頭部に接触しないように選択された幅１１７３ｄを有する、部分的な頂部壁とすることができる。たとえば、頂部壁１１７０ｄは、レール１１２４ｄの断面寸法１１７８ｄと実質的に同じであるかそれよりも大きい量だけ溝の基部の幅１１７６ｄよりも小さい、幅１１７３ｄを有し得る。溝１１２２ｄは、電子デバイス１１３０ｄの頂面から延在し得るレール１１２４ｄと係合するように構成される。ただし、いくつかの例では、レール１１２４ｄは、電子デバイス１１３０ｄの別の壁、たとえば底部壁又は側壁から延在し得る。
【００６１】
図１１Ｅは、この場合は固定ガイドであるガイド１１２０ｅを備えるテンプル１１１２ｅの別の例の、断面図を示す。ガイド１１２０ｅは、第１のレール１１２４ｅ−１を受容するように構成された第１の溝１１２２ｅ−１、及び第２のレール１１２４ｅ−２を受容するように構成された第２の溝１１２２ｅ−２を含む、複数のトラックを含む。第１及び第２の溝１１２２ｅ−１、１１２２ｅ−２はそれぞれ、テンプル１１１２ｅの隣接する側面、この場合はそれぞれ頂面及び外側面上に、配置される。第１の溝１１２２ｅ−１は、対向する側壁によって画定された溝を備える、概ねＵ字形状の溝である。第２の溝１１２２ｅ−２は、同じく概ねＵ字形状の溝（たとえば概ね矩形の断面を有する溝）である。テンプル１１１２ｅは、１つ以上の金属部分、たとえば金属部分１１８０ｅを含み得る。トラックのうちの１つ以上が金属部分内にあってよく、この例では、第１の溝１１２２ｅ−１は金属部分１１８０ｅ内にあり、第２の溝１１２２ｅ−２はテンプルのプラスチック部分１１８１ｅ内にある。テンプルが、いくつかの例ではプラスチック部分を含まなくてもよく、全体に金属で作成できることが理解されるであろう。いくつかの例では、テンプルは全体にプラスチックで作成できる。いくつかの例では、テンプルはプラスチック及び金属の両方で作成できる。いくつかの場合には、テンプルは、単なる例であるが、プラスチック、ゴム、金属、木のうちの１つ、又はこれらの任意の組み合わせを備え得る。ガイドは、テンプルの材料と同じ材料、又はテンプルの材料とは異なる材料で作成することができる。多くの例において、ガイドは、テンプルの仕上げ済み外側表面と同じ材料及び仕上げから構成される。多くの例において、ガイドは、テンプルの外側仕上げ済み表面の外形設計物である。多くの例において、ガイドは開口を有さず、テンプルの外側仕上げの完全性を維持している。
【００６２】
図１１Ｆは、この場合は固定ガイドであるガイド１１２０ｆを備えるテンプル１１１２ｆのさらに別の例の、断面図を示す。ガイド１１２０ｆは、第１のレール１１２４ｆ−１を受容するように構成された第１の溝１１２２ｆ−１、及び第２のレール１１２４ｆ−２を受容するように構成された第２の溝１１２２ｆ−２を含む、複数のトラックを含む。第１及び第２の溝１１２２ｆ−１、１１２２ｆ−２はそれぞれ、テンプル１１１２ｆの対向する側面、この場合はそれぞれ頂面及び底面上に、配置される。第１の溝１１２２ｆ−１は、対向する側壁によって画定された溝を備える、概ねＵ字形状の溝である。第２の溝１１２２ｆ−２は、同じく概ねＵ字形状の溝（たとえば概ね矩形の断面を有する溝）である。第２の溝１１２２ｆ−２は、異なる高さを有する側壁を備える。テンプル１１１２ｆは、１つ以上の金属部分、たとえば金属部分１１８０ｆ−１及び１１８０ｆ−２を含み得る。トラックのうちの１つ以上が金属部分内にあってよく、この例では、第１のトラック１１２２ｆ−１及び第２のトラック１１２２ｆ−２の両方が、それぞれ金属部分１１８０ｆ−１、１１８０ｆ−２内にある。
【００６３】
図１２Ａ〜図１２Ｃは、本開示によるシステムのさらなる例の部分的な断面図である。図１２Ａ〜図１２Ｃにおけるシステムは、電子デバイスをテンプルに固定するための磁性手段を含む。図１２Ａは、図１１Ａにおけるガイド１１２０ａと同様であるガイド１２２０ａを備える、テンプル１２１２ａの断面を示す。たとえば、ガイドは、概ねＬ字形状の断面を有しかつテンプル１２１２ａの頂面上に配置された、溝１２２２ａを含み、この溝１２２２ａは、電子デバイス１２３０ａに連結された又はこれと一体化されたレール１２２４ａを受容するように構成される。システムは、テンプル１２１２ａに連結された固定機構１２５０ａをさらに含む。固定機構１２５０ａは、テンプル１２１２ａの外側面１２１１ａ上に配置された金属ストリップ１２９１ａを含む。金属ストリップ１２９１ａは、電子デバイス１２３０ａ上に配置された磁石１２９２ａと係合するように位置付けられる。この例では、金属ストリップ１２９１ａは、テンプル１２１２ａの表面の窪みの中に、金属ストリップ１２９１ａの１つの側面が露出された状態で配置される。金属ストリップ１２９１ａを、テンプル１２１２ａに取り外し可能に又は取り外し不可能に取り付けることができる。磁石１２９２ａを、電子デバイス１２３０ａのハウジング１２５４ａに取り付けるか又はこれの中に埋め込むことができる。金属ストリップ１２９１ａは、磁気引力を介して磁石が電子デバイス１２３０ａを溝に沿った電子デバイスの任意の位置においてガイドとの係合状態に保持できるように、溝の長さに実質的に沿って延在し得る。
【００６４】
図１２Ｂは、テンプル１２１２ｂを含むシステムの別の例の断面を示す。テンプル１２１２ｂは、本開示によるガイド１２２０ｂを含む。この例では、ガイド１２２０ｂは、概ねＵ字形状の断面を有しかつテンプル１２１２ｂの頂面上に配置された、溝１２２２ｂを含み、この溝１２２２ｂは、電子デバイス１２３０ｂに連結された又はこれと一体化されたレール１２２４ｂを受容するように構成される。テンプル１２１２ｂは金属部分１２８０ｂを含み、溝１２２２ｂは金属部分１２８０ｂ内にある。電子デバイス１２３０ｂはガイド１２２０ｂと摺動可能に係合され、磁気引力によってガイド１２２０ｂと係合するようにさらに固定される。この目的のために、レール１２２４ｂは、レール１２２４ｂの端部に連結できる磁石１２９２ｂを含むか、又は磁石１２９２ｂは、レール１２２４ｂ内に埋め込むことができる。いくつかの例では、レール１２２４ｂ自体又はその一部を、磁性材料で作成することができる。このようにして、電子デバイス１２３０ｂに連結される磁石１２９２ｂは、たとえば磁石１２９２ｂと中に溝１２２２ｂが設けられる金属部分１２８０ｂとの間の磁気引力を介して、電子デバイス１２３０ｂをガイド１２２０ｂとの係合状態に維持することができる。
【００６５】
図１２Ｃは、本開示によるガイド１２２０ｃを含むテンプル１２１２ｃを含むシステムの、さらに別の例の断面を示す。この例では、ガイド１２２０ｃは、概ねＵ字形状の断面を有しかつテンプル１２１２ｃの頂面上に配置された、溝１２２２ｃを含み、この溝１２２２ｃは、電子デバイス１２３０ｃに連結された又はこれと一体化されたレール１２２４ｃを受容するように構成される。テンプル１２１２ｃは金属部分１２８０ｃを含み、溝１２２２ｃは金属部分１２８０ｃ内にある。電子デバイス１２３０ｃはガイド１２２０ｃと摺動可能に係合され、磁気引力によってガイド１２２０ｂと係合するようにさらに固定される。この目的のために、システムは、テンプル１２１２ｃに埋め込まれ得る金属ストリップ１２９１ｃを備える固定機構１２５０ｃを含み得る。金属ストリップ１２９１ｃを、電子デバイスに連結され得るか又はこれの中に埋め込まれ得る、磁石１２９２ｃと係合するように位置付けることができる。他の例では、磁石及び金属材料の場所を反対にすることができ、たとえば、テンプルがテンプルに連結された又はこれの中に埋め込まれた金属材料のストリップを含んでよく、電子デバイスが電子デバイスに連結された又はこれの中に埋め込まれた金属材料を含んでよいことが、諒解されるであろう。
【００６６】
図１３Ａ〜図１３Ｅは、本開示のいくつかの例によるカメラ（カメラシステム又は自己完結型の自動露出カメラとも呼ばれる）の図である。カメラ１０は、カメラ１０の第１の部分２０、たとえば前方部分内に配置され得る、画像取り込みデバイス１２を含む。カメラ１０は、カメラ１０の第２の部分２１、たとえば後方部分内に配置され得る、バッテリ１４及び回路構成１６をさらに含む。たとえば図１４Ａ並びに図１９及び図２０に例示するように、カメラ１０を、たとえばカメラ１０をテンプルに組み込まれたガイドと摺動可能に係合することによって、アイウェアのテンプルに連結することができる。カメラ１０は、溝（たとえば溝２２）又はレールの一方を含むことができ、テンプル上に設けられたレール又は溝と係合することができる。溝又はレールは、カメラ１０のハウジング２３に連結することができるか、又はハウジング２３と一体とすることができる。カメラの形態の電子デバイスは、テンプルの外側面上の雄レールの形態の非固定ガイドに係合するように働く、雌溝を備え得る。カメラの形態の電子デバイスは、テンプルの外側面上の雌溝の形態の非固定ガイドに係合するように働く、雄レールを備え得る。カメラの形態の電子デバイスは、テンプルの外側面上の雌溝の形態の固定ガイドに係合するように働く、雄レールを備え得る。カメラの形態の電子デバイスは、テンプルの外側面上の雄レールの形態の固定ガイドに係合するように働く、雌溝を備え得る。
【００６７】
いくつかの例では、カメラは、自動センタリング又は自動アライメントソフトウェアとも呼ばれる、画像を自動的に中央に配置するためのソフトウェアを含み得る。自動センタリング又は自動アライメントソフトウェアは、カメラに組み込まれたソフトウェアとすることができるか、又は遠隔の電子デバイス（たとえばスマートフォン、もしくはカメラを通信可能に連結して画像の転送先とすることのできる他のモバイルデバイス）上にあってよい。例においては、カメラ１０の回路構成１６は、プロセッサ、及び画像の取り込みに先立って又は取り込み後に画像を修正するためのプロセッサ実行可能命令（たとえばソフトウェア）を備えるメモリを含み得る。たとえば、命令は、画像のサイズ及び／又は配向を調節するように、カメラをプログラムすることができる。いくつかの例では、メモリは、カメラによって取り込まれた画像を中央に配置するための命令を含み得る。命令は、画像の中心を検出し、画像をトリミングすることにとって画像の中心を配置し直すように、カメラをプログラムすることができる。
【００６８】
いくつかの例では、命令は、画像の水平方向の中心を検出し画像を水平方向においてトリミングして、水平方向の中心が画像の左と右との間で均等に離間されるようにすることによって、画像を水平方向において中心に配置するように、カメラをプログラムすることができる。画像を水平方向において中心に配置するための命令は、画像中の対象物の数（たとえば人の数、頭部の数）を計数し、第１のルックアップテーブルを参照することにより画像の水平方向の中心を判定するための命令を含み得る。第１のルックアップテーブルは、たとえば、５つの頭部が計数される場合、画像の水平方向の中心は、３つ目の頭部のところか又はこれの近くにあることを示し得る。第１のルックアップテーブルは、２つの頭部が計数される場合、画像の水平方向の中心は、２つの頭部のところかほぼこれらの間にあることを示し得る。画像を水平方向において中心に配置するための命令はしたがって、第１のルックアップテーブル中の情報に基づいて判定される場所へと、画像の水平方向の中心を自動的に配置し直すための命令を含み得る。
【００６９】
画像を鉛直方向において中心に配置するための命令は、たとえば色の違いを検出することによって、水平線の位置を判定するための命令を含み得る。たとえば、命令は、空に対応する取り込まれた画像中の第１の対象物及び地面又は陸に対応する取り込まれた画像中の第２の対象物を、取り込まれた画像中の第１及び第２の対象物の間の色の違いに基づいて検出するように、カメラをプログラムすることができる。命令は、水平線が新しい位置に配置し直されるよう画像をトリミングするように、カメラをさらにプログラムすることができる。新しい位置を、第２のルックアップテーブルを参照することによって判定することができる。第２のルックアップテーブルは、画像が空の特定のパーセンテージ及び陸の特定のパーセンテージ、たとえば５０％の空及び５０％の陸、４０％の空及び６０％の陸、又は３０％の空及び７０％の陸、間の任意のパーセンテージを備える位置へと、水平線を配置し直すことによって、画像が鉛直方向において中心に配置され得ることを示し得る。いくつかの例では、命令は、画像が約１／３の空及び２／３の陸を備える位置へと水平線が配置し直されるよう、画像をトリミングするように、カメラをプログラムすることができる。
【００７０】
カメラ１０の第１の部分２０を、画像取り込みデバイス１２の配向を変えることができるように、枢動接合部１８を用いて、カメラ１０の第２の部分２１に枢動可能に連結することができる。たとえば、前方部分２０を、たとえば図１３Ｅにおける断面図においてにおいて最もよく見られるように、玉継ぎ手型接合部を用いて、後方部分２１に連結することができる。他の例では、前方部分２０及び後方部分２１を、ピンコネクタ型接合部を用いて、互いに枢動可能に連結することができる。任意の好適な枢動接合部を用いることができる。いくつかの例では、枢動接合部により、第１の軸、第２の軸、第３の軸、又はこれらの組み合わせを中心に、前方部分２０及びしたがって画像取り込みデバイス１２を回転させることが可能となり得、これらの第１、第２、及び第３の軸は、カメラのｘ、ｙ、及びｚ軸とそれぞれ概ね平行である。
【００７１】
カメラ１０は、テンプル上に設けられた溝の中に挿入可能なレールを含む。非固定溝の場合、カメラ１０は、固定機構と係合しこのことによりカメラ１０をテンプルとの係合状態に維持するための、固定特徴を含み得る。図１３の例におけるカメラ１０は、延伸可能なバンド（この図には図示せず）の形態の固定機構と係合するように構成された、表面特徴１３を含む。表面特徴１３は、延伸可能なバンドの形態の固定機構を間に収容するのに十分な距離を離間され得る、リブとすることができる。この例におけるカメラ１０は、シュー（ここでも図面には図示せず）の取り付け特徴と係合するための特徴１５をさらに含む。すなわち、この例のカメラ１０は、カメラの中に埋め込まれたレール２２を介して、溝を有するテンプルに連結することができる。いくつかの例では、たとえば使用者が代わりにレールを備えるテンプルにカメラ１０を連結することを望む場合、テンプルのレールの中に受容されるように構成された溝を備え得るシューにカメラ１０を連結することができる。この特定の例のカメラ１０は、多様な及び／又は種々のレール又はトラックを備える、任意の数のテンプルに連結されるように動作可能である。
【００７２】
いくつかの例では、図１３Ｄにおいて最もよく見られるように、カメラ１０は、プライバシー指示器１７を含み得る。プライバシー指示器は、画像（たとえば静止画像又は動画）が撮られているときに発光し得る、１つ以上のＬＥＤ１９を備え得る。この点灯により、画像が撮られていることを他者に知らせることができる。いくつかの例では、カメラは、画像が成功裏に取り込まれたかについてのフィードバックを着用者に提供できる、機能指示器３７も含み得る。たとえば、機能指示器３７は、たとえば画像の取り込みが成功したときに発光、変色、又は点滅し得る、１つ以上のＬＥＤ３９を含み得る。いくつかの例では、ある色での発光が取り込みの成功を示してよく、一方、異なる色での発光が取り込みの失敗を示してよい。他の例では、異なる回数の又は異なる速度でのＬＥＤの点滅を介して、取り込みの成功又は失敗を示すことができる。別のさらなる例では、機能指示器は、振動源、スピーカ、ブザー、又は他の音声生成デバイスを含むことができ、フィードバックは、触覚又は可聴手段によって提供することができる。
【００７３】
本開示によるカメラを、小型化された自己完結型の電子デバイスとすることができる。カメラは、約８ｍｍから約５０ｍｍの長さＬを有し得る。いくつかの例では、カメラは、約１２ｍｍから約４５ｍｍの長さを有し得る。いくつかの例では、カメラは、３０ｍｍを超えない長さを有し得る。いくつかの例では、カメラは、約１２ｍｍの長さとすることができる。カメラは、約６ｍｍから約１２ｍｍの幅Ｗを有し得る。いくつかの例では、カメラは、約８ｍｍの幅とすることができる。いくつかの例では、カメラは、約１０ｍｍを超えない幅を有し得る。いくつかの例では、カメラは、約６ｍｍから約１２ｍｍの高さを有し得る。いくつかの例では、カメラは、約８ｍｍの高さとすることができる。いくつかの例では、カメラは、約１０ｍｍを超えない高さＨを有し得る。いくつかの例では、カメラは、約５グラムから約１０グラムの重さとすることができる。いくつかの例では、カメラは、約７グラム以下の重さとすることができる。いくつかの例では、カメラは、約６，０００立方ミリメートル以下の体積を有し得る。いくつかの例では、カメラは、約３，０００立方ミリメートル以下の体積を有し得る。いくつかの例では、カメラは、約２，０００立方ミリメートル以下の体積を有し得る。いくつかの例では、カメラは防水型カメラとすることができる。いくつかの例では、カメラは耐水性であり得る。いくつかの例では、カメラは耐汗性であり得る。いくつかの例では、たとえば、ガイドに沿ってカメラが移動されるときの、ガイドを含むアイウェアのテンプルの仕上げ済み表面に対する、カメラによる損傷（たとえばかき傷）を低減又は排除するために、カメラは、ハウジング２３の外部表面上に伸展性のある材料又はコーティングを含み得る。
【００７４】
カメラを、画像（たとえば静止画像又は動画）を取り込むように構成することができる。カメラの画像取り込み機能性を、様々なトリガによって、たとえばタッチスイッチ、メンブレンスイッチ、静電容量スイッチ又はセンサ、単なる例としてマイクロ加速度計などの運動検出器センサ、声又は音の認識システムによって、起動することができる。いくつかの例では、前方又は後方への指のスワイプが、トリガとしての役割を果たすことができ、画像の取り込みを行わせることができる。他の例では、アイウェアのテンプルを軽く叩くこと、又は意図的な瞬きの動きにより、画像の取り込みを行わせることができる。いくつかの例では、テンプルを軽く叩くこと、又はテンプルのタッピング（ｔａｐｐｉｎｇ）により、カメラに画像の取り込みを行わせることができる。
【００７５】
別のさらなる例では、着用者の歯をカチッと鳴らすことが、トリガとしての役割を果たすことができ、画像の取り込みを行わせることができる。着用者が自身の歯をカチッと鳴らすとき、トリガとして機能し得る音が生成され得る。別のさらなる例では、トリガを、所定の単語、音、又は句とすることができる。本開示による例では、回路構成１６は、声認識ソフトウェアを含み得る。カメラは、トリガが生成されているかをカメラが判定できるように、音声を検出できるマイクロフォンを含み得る。トリガが生成された場合、そのトリガに応答して、カメラの画像取り込み機能性を起動することができる。
【００７６】
図１４Ａ及び図１４Ｂは、本明細書におけるいくつかの例による、シューを用いてテンプルと摺動可能に係合するように構成された電子デバイスを含むシステムの、部分的な図である。図１４Ａにおけるシステム１４００ａは、図１５のカメラ１０であってよい電子デバイスを含む。カメラ１０は、シュー１４３４ａを介してテンプル１４１２ａに連結される。テンプル１４１２ａは、固定溝であってよい雌溝１４２２ａを含む。シュー１４３４ａは、固定レールを含むことができ、この場合、カメラ１０をテンプル１４１２ａに固定するための追加の手段は必要とされない場合がある。いくつかの例では、溝は非固定溝であってよく、システムは、カメラ１０上の表面特徴１３と係合できる１つ以上のバンドをさらに含み得る。
【００７７】
図１４Ｂは、概ね円筒形又は半円筒形の本体を有する、カメラ５０の別の例を示す。カメラ５０は、単一のハウジング５３の中に、画像取り込みデバイス、バッテリ、及び回路構成を含み得る。カメラ５０を、シュー１４３４ｂを用いて、テンプル１４１２ｂに摺動可能に連結することができる。この例におけるテンプル１４１２ｂは、概ね台形の断面を有する溝を備える固定ガイドを含む。シュー１４３４ｂは、逆にした概ね台形の断面を有するレールを含む。テンプル１４１２ｂに組み込まれた溝及びシュー１４３４ｂ上のレールは、摺動可能なダブテール接合部を形成するように構成され、このダブテール接合部は、溝に沿ったカメラ５０の移動を案内する役割を果たすだけでなく、カメラ５０の溝への固定も行い、このことによりカメラ５０をテンプル１４１２ｂに固定する。たとえば図１５の例において示され以下でさらに記載されるように、使用者が非固定ガイドを含むテンプルにカメラ５０を連結することを望む場合、カメラ５０は、バンド（たとえば弾性リング、ストラップ）と係合するための表面特徴５５を、任意選択で含み得る。
【００７８】
図１５は、テンプル１５１２と摺動可能に係合するように構成された電子デバイス（たとえばカメラ５０）を含むシステム１５００の、部分的な図を示す。図１５におけるテンプル１５１２は、非固定ガイドであるガイド１５２０を備える。ガイドは、本明細書中の例のいずれかにより実施することができる。カメラは、バンド５７（たとえばＯリングなどの弾性リング）と係合するように構成された、表面特徴５５（たとえばリブ）を含む。バンド５７（たとえば弾性リング）は、カメラ５０がガイド１５２０と係合したままとなるようにカメラ５０をテンプル１５１２に向けて付勢し、このとき、バンド５７の弾性により、厚さ及び／又は幅がテンプル１５１２の長さに沿って変動し得るテンプル１５１２に沿った、カメラ５０の移動が可能となる。図１４〜図１５の例では、カメラはテンプルの外側面に隣接して位置付けられる。テンプルの頂面、底面、及び／又は内部面に隣接して位置付けられるカメラが本開示の範囲内にあることが、理解されるであろう。
【００７９】
図１６は、本開示によるカメラ６０の別の例の部分的な図を示す。カメラ６０は、固定ガイドと係合するように構成される。カメラ６０は、互いから距離６６だけ離間された１対の脚部６４を備える、レール６２を含む。複数の脚部を備えるレールを、分裂したレールと呼ぶ場合がある。この例では、脚部同士の間の距離６６は、レールの基部６３から頂部６５へと増加する。レール６２は、概ね台形の幾何学形状を有する溝の中に挿入されるように構成される。中に挿入されるとき、レール６２及び溝は、摺動可能なダブテール接合部を形成する。中実のレールではなく、逆にした概ね台形の断面を有するこの例におけるような分裂したレールを用いることによって、システムは追加の重量節減を提供できる。図１７Ａ〜図１７Ｃを参照してさらに記載されるように、様々な分裂したレールの構成により、スナップ嵌合を介したレールと溝との間の連結がさらに可能となり得る。
【００８０】
図１７Ａ〜図１７Ｃは、本明細書におけるさらなる例によるガイドを含む取り付けシステムの断面図を示す。ガイド１７２０は、テンプル１７１２に組み込まれかつ概ねＵ字形状の幾何学形状を有する雌溝１７２２を備える、第１のガイドを含む。溝１７２２は、たとえば電子デバイス上に設けられ得る第２のガイドのレール１７２４と係合するように構成され、このレール１７２４は、溝１７２２との摺動可能な接合部を形成するように、同じく概ねＵ字形状の断面を有する。第１及び第２のガイドによって形成された摺動可能な接合部が、レールを溝に連結する様々な段１７００ａ−１から１７００ａ−３において例示されている。レール１７２４は、１対の脚部１７９６を備える分裂したレールである。レール１７２４は、スナップ嵌合によって溝１７２２に連結するように構成される。たとえば、レール１７２４は、本明細書に記載するように、溝１７２２の中に圧入嵌合するようなサイズとすることができる。レール１７２４は、その最も幅の広い場所において第１のレール幅１７９３を有し、これは、レールの基部と頂部との間の中間場所、たとえば中点の場所とすることができる。溝は、その最も幅の狭い場所において第１の溝幅１７９４を有し、これは、溝の高さに沿った中間場所、たとえば中点の場所とすることができる。第１のレール幅１７９３は、レールを溝の中に圧入嵌合できるように、第１の溝幅１７９４よりも大きくすることができる。
【００８１】
第１の段１７００ａ−１（たとえば設置前）では、レール及び溝は、レールを溝の中に挿入する前に互いに隣接して示されている。この段では、レール及び溝は、レールが溝から脱連結され溝に対して自由に移動可能である、ゼロ係合状態にある。第２の段１７００ａ−２（たとえば設置中）では、レールは、挿入力の方向１７９５にレールを移動させることによって、溝の中に部分的に挿入されている。この段１７００ａ−２では、レール及び溝は、部分的に係合した状態にある。レールのその最も幅の広い場所における幅が溝のその最も幅の狭い場所の幅よりも大きいことに起因して、脚部１７９６は、レールが１７９５の方向に移動されるとき、内向きに（たとえば互いに向かって）偏向し得る。レールは、方向１７９５に沿ったレールのさらなる移動によって溝の中に完全に挿入されて、レール及び溝が第３の段１７００ａ−３（たとえば設置後）において提供されるに至る。レールが溝の中にさらに挿入されるにつれ、脚部１７９６は、外向きに偏向して（これらの中立位置に跳ね戻って）、レールをロックして溝と係合させることができる。この段１７００ａ−３では、レール及び溝は、完全に係合した状態にある。この段１７００ａ−３において、レールの頂部（たとえば脚部の端部）は、溝の基部における表面に当接し得る。何らかの例では、溝の中でのレールの摺動を容易にするために、レールの側壁と溝の側壁との間に、ある程度の隙間が残り得る。
【００８２】
図１７Ｂは、分裂したレールを含む第２のガイドの断面図を、分裂したレールの脚部１７９６の一方の部分的な詳細図とともに示す。分裂したレールは、第１の脚部１７９６−１、及び第１の脚部１７９６−１から離間された第２の脚部１７９６−２を含む、１対の脚部１７９６を備える。レールの幅は、その高さに沿って変動し得る。たとえば、レールは、レールの基部において第１のレール幅を、レールの頂部において第２のレール幅を、及びレールの基部と頂部との間の中間場所において第３のレール幅を有し得る。第１、第２、及び／又は第３のレール幅は、異なっていてよい。いくつかの例では、第１のレール幅は、第３のレール幅と実質的に同じであってよく、第２のレール幅未満であってよい。中間場所を、レールの最も幅の広い場所と呼ぶことができる。脚部１７９６同士の間の距離も変動し得る。何らかの例では、脚部同士の間の距離は、レールの高さに沿って同じとすることができる。
【００８３】
図１７Ｃは、溝１７２２を含む第１のガイドの断面図を、溝の側壁１７９１−１の一方の部分的な詳細図とともに示す。溝は、溝の高さに沿って基部から中間場所へと細くなり次いで溝の中間場所から頂部（たとえば開口部）へと広くなる側壁１７９７によって画定される、概ねＵ字形状の溝を備える。したがって、溝の幅は、溝が溝の基部において第１の溝幅を、溝の頂部において第２の溝幅を、及び基部と頂部との間の溝の中間場所において第３の溝幅を有するように、溝の高さに沿って変動する。第１、第２、及び／又は第３の溝幅は、異なっていてよい。いくつかの例では、第１の溝幅は、第３の溝幅と実質的に同じであってよく、第２の溝幅よりも大きくてよい。この点に関して、中間場所を、溝の最も幅の狭い場所と呼ぶことができる。何らかの例では、第１及び／又は第３の溝幅は、溝１７２２内でのレール１７２４の摺動移動のための隙間を提供するように、第１及び／又は第３のレール幅よりも大きくすることができる。他の例では、第１及び第２のガイドの場所を反対にすることができる。すなわち、テンプルは、図１７Ａ〜図１７Ｃの例の分裂したレール１７２４と同様の分裂したレールを含むことができ、電子デバイス又は電子デバイスに取り付け可能な中間構成要素は、図１７Ａ〜図１７Ｃの例の溝１７２２と同様のかつ本明細書に記載するような分裂したレールに連結するように構成された、溝１７２２を含むことができる。
【００８４】
テンプルの仕上げ済み表面上に、本開示によるガイドを設けることができる。すなわち、ガイドの溝もしくはトラック又は１つのレールもしくは複数のレールを、これらがアイウェアの美的外観を損なわないテンプルの仕上げ済み表面を備えるように、形成することができる。さらに、本開示によるガイドは、アイウェアの比較的薄いテンプルに組み込むことのできる、目立たないガイドを含み得る。たとえば、レール（たとえば分裂したレール１７２４）の高さは、約１ｍｍ以下とすることができ、レールの幅は約３ｍｍ以下とすることができる。特定の例では、約０．５ｍｍの高さ及び約１．５ｍｍの幅を有する分裂したレールが実装され、これらが電子デバイスをアイウェアフレームのテンプルに効果的に連結することが示された。脚部の各々の厚さは、いくつかの例では０．５ｍｍ未満、またいくつかの例では約０．３ｍｍ未満とすることができる。脚部のそのような比較的薄い断面により、図１７Ａを参照して記載した第１の段１７００ａ−１から第２の段１７００ａ−２を通って第３の段１７００ａ−３まで移動するときに、弾性変形が可能となり得る。本開示による目立たないガイドは、これらが、見る人がアイウェアを近くで調べなければほぼ知覚不可能であるという、追加の利点を有し得る。この点に関して、本明細書における例によるガイドは、アイウェアの美的な外見を維持するように機能し得る。いくつかの例では、本開示による雄レールの形態のガイドは、幅約３ｍｍ以下、高さ約１．５ｍｍ以下、及び長さ約１０ｍｍから１４５ｍｍの間とすることができる。いくつかの例では、雌溝の形態のガイドは、幅約４ｍｍ以下、深さ約１．５ｍｍ以下、及び長さ約１０ｍｍから１４５ｍｍの間とすることができる。何らかの例では、ガイドは、約４０ｍｍ超の長さとすることができる。いくつかの例では、ガイドは、約８０ｍｍ超の長さとすることができる。いくつかの場合には、二股テンプル上のガイドの場合におけるように、ガイドは長さ１４５ｍｍを超える場合がある。ガイドをテンプルの外側面上に配置することができる。ガイドをテンプルの内側面上に配置することができる。ガイドをテンプルの頂縁部上に配置することができる。ガイドをテンプルの底縁部上に配置することができる。
【００８５】
いくつかの例では、電子デバイス（たとえばカメラ）を、たとえば図１８Ａ〜図１８Ｃの例において例示されるように、たとえばヒンジ接合部又は枢動接合部を用いて、テンプルに枢動可能に連結することができる。図１８Ａ〜図１８Ｃは、本明細書におけるさらなる例による、テンプルに摺動可能かつ枢動可能に連結された電子デバイスの図である。電子デバイスは、ハウジング７２の中に封入された画像取り込みデバイスを含む、カメラ７０とすることができる。カメラ７０は、ハウジングに組み込まれバンドと係合するように構成された、表面特徴７４をさらに含み得る。カメラ７０は、画像取り込みデバイスを含み得る。
【００８６】
カメラ７０を、枢動接合部８２を介してカメラ７０に枢動可能に連結され得る中間構成要素（たとえばインターフェース８０）を用いて、テンプルに連結することができる。いくつかの例では、枢動接合部８２により、カメラの軸、たとえばカメラのｘ軸を中心とした、カメラ７０の回転、及びしたがって画像取り込みデバイスの回転を、可能とすることができる。取り込まれるべき所望の対象物又は光景に対してテンプルが別様に角度を付けられている場合であっても、画像取り込みデバイスをこれらの対象物又は光景と位置合わせできることが、１つの利点であり得る。枢動接合部８２を、ｘ軸を中心とした最大２０度の上向き及び下向きの回転を可能とするように構成することができる。いくつかの例では、枢動接合部８２を、カメラ７０の最大約１５度の上向き及び／又は下向きの回転を可能とするように構成することができる。本明細書に記載するように、中間構成要素８０は、テンプル１８１２上の溝又はレールと摺動可能に係合するための、レール又は溝を備え得る。例示した特定の例では、インターフェースは、図１７を参照して記載した種類の分裂したレール、及びレールと協働して嵌合するように構成された溝を含む。いくつかの例では、カメラ７０を、テンプルの長手軸と概ね平行なヒンジ軸を有するヒンジ接合部を介して、テンプルに連結することができる。そのような例では、ヒンジ接合部は、テンプルの長手軸を中心にカメラを回転させるように、たとえば、画像取り込みデバイスの配向を、肖像写真の配向から風景の配向へと及びこの逆へと変えるように、動作可能であり得る。
【００８７】
図１９及び図２０は、本開示のいくつかの例によるシステムの、上面図、前面図、側面図、及び部分的な等角図を示す。図１９におけるシステム１９００は、テンプル１９１２を含むアイウェアフレーム１９１０を含み得る。システム１９００は、図１３を参照して既に記載したような電子デバイス、たとえばカメラ１０をさらに含み得る。カメラ１０を、シュー（たとえば図１４Ａのシュー１４３４）を介して、テンプル１９１２と摺動可能に係合することができる。カメラ１０は、画像取り込みデバイスを備える前方部分２０を含み得る。前方部分２０を、カメラの後方部分２１に枢動可能に連結することができ、このことにより、画像取り込みデバイス１２の配向を変えて、たとえばカメラの所望の視線とのカメラ１０の位置合わせ不備を補償することができる。いくつかの例では、カメラ１０は、カメラ１０の軸（たとえばｘ軸、ｙ軸、及びｚ軸）のうちの１つ以上と平行な１つ以上の軸を中心とした前方部分の回転を可能とし得る、玉継ぎ手接合部を含み得る。
【００８８】
カメラ１０を、カメラ１０がテンプル１９１２の長手軸と概ね平行となるように、テンプル１９１２に連結することができる。いくつかの例では、テンプル１９１２の長手軸を、使用者の視線と概ね平行であり得る中立軸と位置合わせすることができ、こうして、画像（たとえば静止画像又は動画）の取り込みのための所望の視線と位置合わせすることができる。いくつかの例では、長手軸は中立軸とは位置合わせされなくてもよく、代わりに中立軸に対して上向き又は下向きに角度を付けられ得る。たとえば、テンプルは、中立位置に対して上向きに角度を付けられ得る、第１の傾斜した位置（点線で示す）にあることができ、こうしてカメラの画像取り込みデバイスを、所望の対象物又は光景に対して下向きに配向させる。他の例では、テンプルは、中立位置に対して下向きに角度を付けられ得る、第２の傾斜した位置（点線で示す）にあることができ、こうしてカメラの画像取り込みデバイスを、所望の対象物又は光景に対して上向きに配向させる。この例では、カメラ１０の画像取り込みデバイスを、カメラ１０のｘ軸と平行である軸を中心に回転させることができる。すなわち、カメラ１０の前方部分を回転させることができ、ｘ軸と平行である軸を中心にした前方部分の回転は、使用者の視線に対して上向き又は下向きの方向における、画像取り込みデバイスの配向の変化をもたらすことになる。
【００８９】
図２０Ａ〜図２０Ｄをさらに参照すると、システム２０００は、テンプル２０１２を備えるアイウェアフレーム２０１０を含み得る。システム２０００は、図１３及び図１９を参照して既に記載したような電子デバイス、たとえばカメラ１０をさらに含み得る。カメラ１０をテンプルと摺動可能に係合することができ、カメラの前方部分を、画像取り込みデバイスの配向を変えることができるように、カメラの後方部分に枢動可能に連結することができる。
【００９０】
カメラ１０を、カメラ１０がテンプル２０１２の長手軸と概ね平行となるようにテンプル２０１２に連結することができ、このテンプル２０１２は、いくつかの例では、中立軸と概ね位置合わせすることができ、こうして所望の視線と位置合わせすることができる。いくつかの例では、テンプルは代わりに、中立軸に対して内向き又は外向きに角度を付けることができる。たとえば、テンプルは、中立軸に対して内向きに角度を付けられ得る、第１の偏向された位置（点線で示す）にあることができ、こうしてカメラの画像取り込みデバイスを、所望の対象物又は光景に対して外向きに配向させる。他の例では、テンプルは、中立軸に対して外向きに角度を付けられ得る、第２の偏向された位置（点線で示す）にあることができ、こうしてカメラの画像取り込みデバイスを、所望の対象物又は光景に対して内向きに配向させる。そのような例では、カメラを、カメラのｙ軸とほぼ平行である軸を中心に回転させることができる。カメラのｙ軸と平行である軸を中心にした回転は、使用者の視線に対して左右の又は内向き及び外向きの方向における、画像取り込みデバイスの配向の変化をもたらし得る。
【００９１】
さらなる例では、画像取り込みデバイスが、角度に関して正しく位置合わせされない場合がある。たとえば、不規則な形状のテンプル２０１２のために、カメラ２０及び／又は画像取り込みデバイスのｘ及びｙ軸が、アイウェアフレームのｘ及びｙ軸に対してある角度だけ回転されている場合がある。したがって、そのような配向でカメラにより取り込まれた画像は、角度に関する位置合わせ不備を有する（たとえばｚ軸を中心に回転されている）場合がある。そのような位置合わせ不備を、図２０Ｄに例示するように、画像取り込みデバイスの前方部分をｚ軸を中心に回転させることによって、本明細書における例により解消することができる。
【００９２】
図２１は、例としてカメラ９０であり得る本開示による電子デバイスの、さらに別の例を示す。電子デバイス（たとえばカメラ９０）は、本明細書に記載の電子デバイスの特徴のいくつか又は全てを含み得る。この例におけるカメラ９０は、カメラ９０の底面９５上に配置される雄レール９４を含む。カメラ９０が本明細書における例によるテンプルに連結されるとき、カメラ９０の底面９５は、雄レール９４の形態のガイドがテンプル上のガイドと係合するように、テンプルに対向して設けられる。諒解されるであろうが、レール９４は、カメラの長さに沿って、又はカメラの長さに部分的に沿って、延在し得る。たとえば、レール９４は、カメラ９０の長さＬＣよりも小さい長さＬＲを有し得る。レール９４を、カメラの後端部９２に近接して位置付けることができる。レール９４を、カメラ９０の前端部９１から距離９６だけ離間することができる。レール９４を距離９６だけカメラの前端部から後方に位置付けることにより、カメラがテンプル上のガイドと係合したままとしながら、アイウェアの前部と一致するように又はこれの僅かに前に、カメラ９０の前端部９１を位置付けることが可能となり得る。例示されたこの特定の例は、レールの形態のガイドを含むカメラを示しているが、他の例では、カメラは溝の形態のガイドを含み得る。いくつかの例では、レールは、電子デバイスに取り付けられたシューの一部とすることができる。アイウェアフレームと一致するように又はこれの前方にカメラを設置することを可能にするために、シューに組み込まれたレールを、シューの前端部から同様に離間することができる。
【００９３】
図２２は、本開示の例によるＯリングの形態の延伸可能なバンドの例を示す。Ｏリング９７は、概ね円形とすることができ、ある内径（ＩＤ）を有し得る。いくつかの例では、Ｏリング９７の内径（ＩＤ）は、約８ｍｍから約１６ｍｍまでの範囲とすることができる。Ｏリングは、丸形の断面、たとえば図２２に例示するような円形の断面を有し得る。Ｏリング９７の断面径９８（たとえば半径方向断面径、軸方向断面径、又は両方）は、約１ｍｍから約２ｍｍまでの範囲とすることができる。いくつかの例では、Ｏリングは断面を円形とすることができ、Ｏリングの半径方向断面径及び軸方向断面径は、約１ｍｍとすることができる。Ｏリングの丸形の断面により、Ｏリングが過度にねじれるか又はそれ以外でテンプルに沿った電子デバイスの移動を妨げることなく、テンプルに沿ったＯリングの摺動を容易にすることができる。Ｏリング９７を、ゴム、たとえばデュロメータ硬さＡ７０のＢｕｎａ  Ｎゴムから作成することができる。いくつかの例では、延伸可能なバンドは、シリコン又はエチレンプロピレンジエンターポリマー（ＥＰＤＭ）などの他の弾性材料から作成された、弾性リングであってよい。アイウェアのテンプルに及び存在する場合はさらにテンプルガイドに、電子デバイスを固定するために、１つ以上のＯリングを適用することができる。Ｏリングを、これが電子デバイスの１つ以上の外側表面及びアイウェアのテンプルの内側面を覆うような様式で、適用することができる。Ｏリングを用いて、電子デバイス、及び存在する場合にはアイウェアガイドを含むアイウェアのテンプルを、完全に包囲することができる。電子デバイス上に配置された１つ以上の表面特徴は、Ｏリングを受容すること、及び電子デバイスがアイウェアテンプルの前部近くの箇所からアイウェアのテンプルの後部近くの箇所へと移動されているときに、Ｏリングが係脱された状態になるのを防止することができる。表面特徴は、電子デバイスの表面上に、Ｏリングを受容するための凹部を形成し得る。この凹部は、０．５０ｍｍ〜２．２ｍｍの範囲の深さを有し得る。１．０ｍｍの断面を有するＯリングが用いられるとき、表面の凹部は、０．７５ｍｍから１．２５ｍｍまでの範囲にわたる。
【００９４】
本開示はいくつかの実施形態の例示及び記載を例として含むが、本発明の精神及び範囲から逸脱することなく、記載された実施形態並びに他の実施形態に対するいくつかの変形が可能であることが、当業者には理解されるであろう。開示される実施形態のいずれかからの構成要素、特徴、又は態様のいずれも、限定することなく、また本開示の範囲から逸脱することなく、互いと組み合わせて用いることができることが、諒解されるであろう。
【図１】
2017524159.tif 000003
【図２】
2017524159.tif 000004
【図３】
2017524159.tif 000005
【図４】
2017524159.tif 000006
【図５Ａ】
2017524159.tif 000007
【図５Ｂ】
2017524159.tif 000008
【図６】
2017524159.tif 000009
【図７】
2017524159.tif 000010
【図８】
2017524159.tif 000011
【図９Ａ】
2017524159.tif 000012
【図９Ｂ】
2017524159.tif 000013
【図９Ｃ】
2017524159.tif 000014
【図９Ｄ】
2017524159.tif 000015
【図１０Ａ】
2017524159.tif 000016
【図１０Ｂ】
2017524159.tif 000017
【図１１Ａ】
2017524159.tif 000018
【図１１Ｂ】
2017524159.tif 000019
【図１１Ｃ】
2017524159.tif 000020
【図１１Ｄ】
2017524159.tif 000021
【図１１Ｅ】
2017524159.tif 000022
【図１１Ｆ】
2017524159.tif 000023
【図１２Ａ】
2017524159.tif 000024
【図１２Ｂ】
2017524159.tif 000025
【図１２Ｃ】
2017524159.tif 000026
【図１３Ａ】
2017524159.tif 000027
【図１３Ｂ】
2017524159.tif 000028
【図１３Ｃ】
2017524159.tif 000029
【図１３Ｄ】
2017524159.tif 000030
【図１３Ｅ】
2017524159.tif 000031
【図１４Ａ】
2017524159.tif 000032
【図１４Ｂ】
2017524159.tif 000033
【図１５】
2017524159.tif 000034
【図１６】
2017524159.tif 000035
【図１７Ａ】
2017524159.tif 000036
【図１７Ｂ】
2017524159.tif 000037
【図１７Ｃ】
2017524159.tif 000038
【図１８Ａ】
2017524159.tif 000039
【図１８Ｂ】
2017524159.tif 000040
【図１８Ｃ】
2017524159.tif 000041
【図１９Ａ】
2017524159.tif 000042
【図１９Ｂ】
2017524159.tif 000043
【図１９Ｃ】
2017524159.tif 000044
【図１９Ｄ】
2017524159.tif 000045
【図２０Ａ】
2017524159.tif 000046
【図２０Ｂ】
2017524159.tif 000047
【図２０Ｃ】
2017524159.tif 000048
【図２０Ｄ】
2017524159.tif 000049
【図２１Ａ】
2017524159.tif 000050
【図２１Ｂ】
2017524159.tif 000051
【図２１Ｃ】
2017524159.tif 000052
【図２２】
2017524159.tif 000053
【国際調査報告】
2017524159.tif 000054
2017524159.tif 000055